(57)【要約】無線通信システム（ＲＣＳ）の第１アンテナシステム（ＡＳ）からネットワークノード（ＭＳ）のＡＳへの送信チャネル（ＴＣ１）に関する長期タイムインターバル（ＴＩ）に亘って平均化された第１品質値、ＲＣＳの第２ＡＳからＭＳのＡＳへの第２送信チャネル（ＴＣ２、ＴＣ３）に関する長期ＴＩに亘って平均化された第２品質値を特定し、第１、第２品質値に基づき事前定義されたＦＢ無線リソースの無線リソース・ユニット（ＲＲＵ）の配分を特定し、第１、第２品質値を含む長期ＦＢを受信機（ＢＳ）へ送信し、ＲＲＵの配分を使用してＴＣ１、ＴＣ２、ＴＣ３に関する第１、第２短期情報を含む短期ＦＢを長期ＴＩ以下の短期ＴＩでＢＳへ送信する。また、第１、第２品質値を含む長期ＦＢを受信し、ＲＲＵの配分を使用して短期ＦＢを短期ＴＩで受信し、ＲＲＵの配分に基づき短期ＦＢから第１、第２短期情報を特定する。
2016524382.tif 000002
【特許請求の範囲】
【請求項１】
送信機装置（ＴＡ１）によってチャネル・フィードバックを生成して送信するための方法（Ｍ１−ＴＡ）であって、
無線通信システム（ＲＣＳ）の第１のアンテナ・システム（ＡＳ１）から、前記送信機装置（ＴＡ１）を含むネットワーク・ノード（ＭＳ）のアンテナ・システム（ＡＳ）への第１の送信チャネル（ＴＣ１）に関する、長期タイム・インターバルにわたって平均化された少なくとも１つの第１の品質値（ＡＰＰ１、ＡＰＰ２、ＡＰＰ３、ＡＰＰ４、ＡＰＰ５）、および、前記無線通信システム（ＲＣＳ）の少なくとも１つの第２のアンテナ・システム（ＡＳ２、ＡＳ３）から、前記ネットワーク・ノード（ＭＳ）の前記アンテナ・システム（ＡＳ）への少なくとも１つの第２の送信チャネル（ＴＣ２、ＴＣ３）に関する、前記長期タイム・インターバルにわたって平均化された少なくとも１つの第２の品質値を特定するステップ（Ｓ１１−Ｍｌ）と、
前記少なくとも第１の品質値（ＡＰＰ１、ＡＰＰ２、ＡＰＰ３、ＡＰＰ４、ＡＰＰ５）および前記少なくとも第２の品質値に基づいて、事前に定義されたフィードバック無線リソースの無線リソース・ユニットの配分（ＤＩＳ−ＲＵ）を、前記第１の送信チャネル（ＴＣ１）に関して、および前記少なくとも１つの第２の送信チャネル（ＴＣ２、ＴＣ３）に関してともに特定するステップ（Ｓ１２−Ｍ１）と、
前記少なくとも１つの第１の品質値（ＡＰＰ１、ＡＰＰ２、ＡＰＰ３、ＡＰＰ４、ＡＰＰ５）および前記少なくとも１つの第２の品質値を含む長期フィードバック（ＬＴＦ）を受信機装置（ＲＡ）へ送信するステップ（Ｓ１３−Ｍ１）と、
無線リソース・ユニットの前記配分（ＤＩＳ−ＲＵ）を使用して、前記第１の送信チャネル（ＴＣ１）に関する第１の短期情報（ＳＴＦ１）、および前記少なくとも第２の送信チャネル（ＴＣ２、ＴＣ３）に関する少なくとも第２の短期情報（ＳＴＦ２、ＳＴＦ３）を含む短期フィードバック（ＳＴＦ）を前記長期タイム・インターバル以下の短期タイム・インターバルで前記受信機装置（ＲＡ）へ送信するステップ（Ｓ１６−Ｍ１）と、
を含み、
無線リソース・ユニットの前記配分（ＤＩＳ−ＲＵ）が、逆注水アルゴリズムによって特定され、該逆注水アルゴリズムが、
注水レベルを段階的に低減するサブステップと、
前記注水レベルを超えている前記少なくとも第１の品質値（ＡＰＰ１、ＡＰＰ２、ＡＰＰ３、ＡＰＰ４、ＡＰＰ５）および前記少なくとも第２の品質値のレベルに応じて無線リソース・ユニットを前記少なくとも第１の品質値（ＡＰＰ１、ＡＰＰ２、ＡＰＰ３、ＡＰＰ４、ＡＰＰ５）および前記少なくとも第２の品質値に割り当てるサブステップと、
を含む、方法（Ｍ１−ＴＡ）。
【請求項２】
前記短期フィードバック（ＳＴＦ）に関する前記事前に定義されたフィードバック無線リソースが、前記少なくとも第１の品質値（ＡＰＰ１、ＡＰＰ２、ＡＰＰ３、ＡＰＰ４、ＡＰＰ５）および前記少なくとも第２の品質値に応じて、前記第１の送信チャネル（ＴＣ１）に関する前記短期フィードバック（ＳＴＦ）の繰り返される送信に関する第１のセグメントと、前記少なくとも１つの第２の送信チャネル（ＴＣ２、ＴＣ３）の前記短期フィードバック（ＳＴＦ）の繰り返される送信に関する少なくとも１つの第２のセグメントとに分割される、請求項１に記載の方法（Ｍ１−ＴＡ）。
【請求項３】
前記第１の短期情報（ＳＴＦ１）が、前記第１のアンテナ・システム（ＡＳ１）の少なくとも１つのアンテナ要素のうちの１つから、前記ネットワーク・ノード（ＭＳ）の前記アンテナ・システム（ＡＳ）の少なくとも１つのアンテナ要素のうちの１つへの少なくとも１つの第１の送信パス（ＴＰ１、ＴＰ２）に関連しており、前記少なくとも第２の短期情報（ＳＴＦ２、ＳＴＦ３）が、前記少なくとも１つの第２のアンテナ・システム（ＡＳ２、ＡＳ３）の少なくとも１つのアンテナ要素のうちの１つから、前記ネットワーク・ノード（ＭＳ）の前記アンテナ・システム（ＡＳ）の前記少なくとも１つのアンテナ要素のうちの１つへの少なくとも１つの第２の送信パスに関連している、請求項１又は２に記載の方法（Ｍ１−ＴＡ）。
【請求項４】
前記第１の送信チャネル（ＴＣ１）および前記少なくとも第２の送信チャネル（ＴＣ２、ＴＣ３）を介した直交周波数分割多重送信に関して、前記第１の短期情報（ＳＴＦ１）が、前記少なくとも１つの第１の送信パス（ＴＰ１、ＴＰ２）の周波数ドメイン・チャネル転送関数を再構築することを可能にする係数の第１のセットを含み、前記少なくとも第２の短期情報（ＳＴＦ２、ＳＴＦ３）が、前記少なくとも１つの第２の送信パスの周波数ドメイン・チャネル転送関数を再構築することを可能にする係数の少なくとも１つの第２のセットを含み、または、前記第１の送信チャネル（ＴＣ１）および前記少なくとも第２の送信チャネル（ＴＣ２、ＴＣ３）を介した符号分割多元接続送信もしくはワイドバンド符号分割多元接続送信に関して、前記第１の短期情報（ＳＴＦ１）が、前記少なくとも１つの第１の送信パス（ＴＰ１、ＴＰ２）の周波数ドメイン・チャネル転送関数もしくは時間ドメイン・チャネル・インパルス応答を再構築することを可能にする係数の第１のセットを含み、前記少なくとも第２の短期情報（ＳＴＦ２、ＳＴＦ３）が、前記少なくとも１つの第２の送信パスの周波数ドメイン・チャネル転送関数もしくは時間ドメイン・チャネル・インパルス応答を再構築することを可能にする係数の少なくとも１つの第２のセットを含む、請求項１乃至３のいずれか１項に記載の方法（Ｍ１−ＴＡ）。
【請求項５】
無線リソース・ユニットの前記配分（ＤＩＳ−ＲＵ）が、前記受信機装置（ＲＡ）によって事前に定義された報告クラスタのそれぞれの送信チャネル（ＴＣ１、ＴＣ２、ＴＣ３）に関する少なくとも１つの無線リソース・ユニットを含む、請求項１乃至４のいずれか１項に記載の方法（Ｍ１−ＴＡ）。
【請求項６】
前記長期フィードバック（ＬＴＦ）が、前記少なくとも１つの第１の品質値（ＡＰＰ１、ＡＰＰ２、ＡＰＰ３、ＡＰＰ４）の少なくとも１つの第１の時間遅延値（ｔ１、ｔ２、ｔ３、ｔ４）、および前記少なくとも１つの第２の品質値の少なくとも１つの第２の時間遅延値をさらに含み、前記少なくとも第１の品質値（ＡＰＰ１、ＡＰＰ２、ＡＰＰ３、ＡＰＰ４）が、第１のパワー値であり、前記少なくとも第２の品質値が、第２のパワー値である、請求項１乃至６のいずれか１項に記載の方法（Ｍ１−ＴＡ）。
【請求項７】
前記少なくとも１つの第１の時間遅延値（ｔ１、ｔ２、ｔ３、ｔ４、ｔ５）および前記少なくとも第１のパワー値が、前記第１のアンテナ・システム（ＡＳ１）のアンテナ要素のうちの１つから、前記ネットワーク・ノード（ＭＳ）の前記アンテナ・システム（ＡＳ）のアンテナ要素のうちの１つへの間における、前記第１の送信チャネル（ＴＣ１）の第１の送信パス（ＴＰ１、ＴＰ２）に関する第１のチャネル・インパルス応答どうしにわたって平均化された第１のチャネル・インパルス応答（ＣＩＲ＿ＴＣ１）の少なくとも１つの第１の極大に関して特定され、前記少なくとも第２の時間遅延値および前記少なくとも第２のパワー値が、前記少なくとも第２のアンテナ・システム（ＡＳ２、ＡＳ３）のアンテナ要素のうちの１つから、前記ネットワーク・ノード（ＭＳ）の前記アンテナ・システム（ＡＳ）の前記アンテナ要素のうちの１つへの間における、前記少なくとも第２の送信チャネル（ＴＣ２、ＴＣ３）の送信パスに関する第２のチャネル・インパルス応答どうしにわたって平均化された第２のチャネル・インパルス応答の少なくとも１つの第２の極大に関して特定される、請求項７に記載の方法（Ｍ１−ＴＡ）。
【請求項８】
無線リソース・ユニットの前記配分（ＤＩＳ−ＲＵ）に関する前記特定するステップ（Ｓ１１−Ｍｌ）が、無線リソース・ユニットを前記少なくとも第１の極大に、および前記少なくとも第２の極大に割り当てる、請求項８に記載の方法（Ｍ１−ＴＡ）。
【請求項９】
前記長期フィードバック（ＬＴＦ）が、無線リソース・ユニットのゼロよりも多い割り当てられた数を伴って、前記平均化された第１のチャネル・インパルス応答の、および前記平均化された少なくとも第２のチャネル・インパルス応答の極大に関して送信されるだけである、請求項８または請求項９に記載の方法（Ｍ１−ＴＡ）。
【請求項１０】
前記長期フィードバック（ＬＴＦ）に関する前記送信するステップ（Ｓ１３−Ｍ１）が、前記長期タイム・インターバルによって繰り返され、または無線リソース・ユニットの前記配分（ＤＩＳ−ＲＵ）が変更された場合に繰り返される、請求項１乃至１０のいずれか１項に記載の方法（Ｍ１−ＴＡ）。
【請求項１１】
受信機装置（ＲＡ）においてチャネル・フィードバックを受信して取り出すための方法（Ｍ２−ＲＡ）であって、
無線通信システム（ＲＣＳ）の第１のアンテナ・システム（ＡＳ１）から、送信機装置（ＴＡ１）を含むネットワーク・ノード（ＭＳ）のアンテナ・システム（ＡＳ）への第１の送信チャネル（ＴＣ１）に関する、長期タイム・インターバルにわたって平均化された少なくとも１つの第１の品質値（ＡＰＰ１、ＡＰＰ２、ＡＰＰ３、ＡＰＰ４、ＡＰＰ５）、および、前記無線通信システム（ＲＣＳ）の少なくとも１つの第２のアンテナ・システム（ＡＳ２、ＡＳ３）から、前記ネットワーク・ノード（ＭＳ）の前記アンテナ・システム（ＡＳ）への少なくとも１つの第２の送信チャネル（ＴＣ２、ＴＣ３）に関する、前記長期タイム・インターバルにわたって平均化された少なくとも１つの第２の品質値を含む長期フィードバック（ＬＴＦ）を前記送信機装置（ＴＡ１）から受信するステップ（Ｓ２−Ｍ２）と、
事前に定義されたフィードバック無線リソースの無線リソース・ユニットの配分（ＤＩＳ−ＲＵ）を使用して、前記第１の送信チャネル（ＴＣ１）に関する第１の短期情報（ＳＴＦ１）、および前記少なくとも第２の送信チャネル（ＴＣ２、ＴＣ３）に関する少なくとも第２の短期情報（ＳＴＦ２）を含む短期フィードバック（ＳＴＦ）を前記長期タイム・インターバル以下の短期タイム・インターバルで前記送信機装置（ＴＡ１）から受信するステップ（Ｓ２−Ｍ２）と、
前記少なくとも１つの第１の品質値（ＡＰＰ１、ＡＰＰ２、ＡＰＰ３、ＡＰＰ４、ＡＰＰ５）および前記少なくとも１つの第２の品質値に基づいて、無線リソース・ユニットの前記配分（ＤＩＳ−ＲＵ）を、前記第１の送信チャネル（ＴＣ１）に関して、および前記少なくとも１つの第２の送信チャネル（ＴＣ２、ＴＣ３）に関してともに特定するステップ（Ｓ４−Ｍ２）と、
無線リソース・ユニットの前記配分（ＤＩＳ−ＲＵ）に基づいて前記短期フィードバック（ＳＴＦ）から前記第１の短期情報（ＳＴＦ１）および前記少なくとも第２の短期情報（ＳＴＦ２）を特定するステップ（Ｓ８−Ｍ２）と、
を含み、
無線リソース・ユニットの前記配分（ＤＩＳ−ＲＵ）が、逆注水アルゴリズムによって特定され、該逆注水アルゴリズムが、
注水レベルを段階的に低減するサブステップと、
前記注水レベルを超えている前記少なくとも第１の品質値（ＡＰＰ１、ＡＰＰ２、ＡＰＰ３、ＡＰＰ４、ＡＰＰ５）および前記少なくとも第２の品質値のレベルに応じて無線リソース・ユニットを前記少なくとも第１の品質値（ＡＰＰ１、ＡＰＰ２、ＡＰＰ３、ＡＰＰ４、ＡＰＰ５）および前記少なくとも第２の品質値に割り当てるサブステップと、
を含む、方法（Ｍ２−ＲＡ）。
【請求項１２】
チャネル・フィードバックを生成して送信するための送信機装置（ＴＡ１）であって、
無線通信システム（ＲＣＳ）の第１のアンテナ・システム（ＡＳ１）から、前記送信機装置（ＴＡ１）を含むネットワーク・ノード（ＭＳ）のアンテナ・システム（ＡＳ）への第１の送信チャネル（ＴＣ１）に関する、長期タイム・インターバルにわたって平均化された少なくとも１つの第１の品質値（ＡＰＰ１、ＡＰＰ２、ＡＰＰ３、ＡＰＰ４、ＡＰＰ５）、および、前記無線通信システム（ＲＣＳ）の少なくとも１つの第２のアンテナ・システム（ＡＳ２、ＡＳ３）から、前記ネットワーク・ノード（ＭＳ）の前記アンテナ・システム（ＡＳ）への少なくとも１つの第２の送信チャネル（ＴＣ２、ＴＣ３）に関する、前記長期タイム・インターバルにわたって平均化された少なくとも１つの第２の品質値を特定するステップを行うための手段（ＤＥＴ−Ｕ１）と、
前記少なくとも第１の品質値（ＡＰＰ１、ＡＰＰ２、ＡＰＰ３、ＡＰＰ４、ＡＰＰ５）および前記少なくとも第２の品質値に基づいて、事前に定義されたフィードバック無線リソースの無線リソース・ユニットの配分（ＤＩＳ−ＲＵ）を、前記第１の送信チャネル（ＴＣ１）に関して、および前記少なくとも１つの第２の送信チャネル（ＴＣ２、ＴＣ３）に関してともに特定するステップを行うための手段（ＤＥＴ−Ｕ２）と、
前記少なくとも１つの第１の品質値（ＡＰＰ１、ＡＰＰ２、ＡＰＰ３、ＡＰＰ４、ＡＰＰ５）および前記少なくとも１つの第２の品質値を含む長期フィードバック（ＬＴＦ）を受信機装置（ＲＡ）へ送信するステップを行うための、ならびに、無線リソース・ユニットの前記配分（ＤＩＳ−ＲＵ）を使用して、前記第１の送信チャネル（ＴＣ１）に関する第１の短期情報（ＳＴＦ１）、および前記少なくとも第２の送信チャネル（ＴＣ２、ＴＣ３）に関する少なくとも第２の短期情報（ＳＴＦ２）を含む短期フィードバック（ＳＴＦ）を前記長期タイム・インターバル以下の短期タイム・インターバルで前記受信機装置（ＲＡ）へ送信するステップを行うための手段（ＴＲ−Ｕ）と、
を含み、
無線リソース・ユニットの前記配分（ＤＩＳ−ＲＵ）を特定するステップを行うための前記手段（ＤＥＴ−Ｕ２）が、逆注水アルゴリズムによって無線リソース・ユニットの前記配分（ＤＩＳ−ＲＵ）を特定するように構成されており、該逆注水アルゴリズムが、
注水レベルを段階的に低減するサブステップと、
前記注水レベルを超えている前記少なくとも第１の品質値（ＡＰＰ１、ＡＰＰ２、ＡＰＰ３、ＡＰＰ４、ＡＰＰ５）および前記少なくとも第２の品質値のレベルに応じて無線リソース・ユニットを前記少なくとも第１の品質値（ＡＰＰ１、ＡＰＰ２、ＡＰＰ３、ＡＰＰ４、ＡＰＰ５）および前記少なくとも第２の品質値に割り当てるサブステップと、
を含む、送信機装置（ＴＡ１）。
【請求項１３】
チャネル・フィードバックを受信して取り出すための受信機装置（ＲＡ）であって、
無線通信システム（ＲＣＳ）の第１のアンテナ・システム（ＡＳ１）から、送信機装置（ＴＡ１）を含むネットワーク・ノード（ＭＳ）のアンテナ・システム（ＡＳ）への第１の送信チャネル（ＴＣ１）に関する、長期タイム・インターバルにわたって平均化された少なくとも１つの第１の品質値（ＡＰＰ１、ＡＰＰ２、ＡＰＰ３、ＡＰＰ４、ＡＰＰ５）、および、前記無線通信システム（ＲＣＳ）の少なくとも１つの第２のアンテナ・システム（ＡＳ２、ＡＳ３）から、前記ネットワーク・ノード（ＭＳ）の前記アンテナ・システム（ＡＳ）への少なくとも１つの第２の送信チャネル（ＴＣ２、ＴＣ３）に関する、前記長期タイム・インターバルにわたって平均化された少なくとも１つの第２の品質値を含む長期フィードバック（ＬＴＦ）を前記送信機装置（ＴＡ１）から受信するステップを行うための、ならびに、事前に定義されたフィードバック無線リソースの無線リソース・ユニットの配分（ＤＩＳ−ＲＵ）を使用して、前記第１の送信チャネル（ＴＣ１）に関する第１の短期情報（ＳＴＦ１）、および前記少なくとも第２の送信チャネル（ＴＣ２、ＴＣ３）に関する少なくとも第２の短期情報（ＳＴＦ２）を含む短期フィードバック（ＳＴＦ）を前記長期タイム・インターバル以下の短期タイム・インターバルで前記送信機装置（ＴＡ１）から受信するステップを行うための手段（ＲＥＣ−Ｕ）と、
前記少なくとも１つの第１の品質値（ＡＰＰ１、ＡＰＰ２、ＡＰＰ３、ＡＰＰ４、ＡＰＰ５）および前記少なくとも１つの第２の品質値に基づいて、無線リソース・ユニットの前記配分（ＤＩＳ−ＲＵ）を、前記第１の送信チャネル（ＴＣ１）に関して、および前記少なくとも１つの第２の送信チャネル（ＴＣ２、ＴＣ３）に関してともに特定するステップを行うための手段（ＤＥＴ−Ｕ）と、
無線リソース・ユニットの前記配分（ＤＩＳ−ＲＵ）に基づいて前記短期フィードバック（ＳＴＦ）から前記第１の短期情報（ＳＴＦ１）および前記少なくとも第２の短期情報（ＳＴＦ２）を特定するステップを行うための手段（ＤＥＴ−Ｕ）と、を含み、
無線リソース・ユニットの前記配分（ＤＩＳ−ＲＵ）を特定するステップを行うための前記手段（ＤＥＴ−Ｕ）が、逆注水アルゴリズムによって無線リソース・ユニットの前記配分（ＤＩＳ−ＲＵ）を特定するように構成されており、該逆注水アルゴリズムが、
注水レベルを段階的に低減するサブステップと、
前記注水レベルを超えている前記少なくとも第１の品質値（ＡＰＰ１、ＡＰＰ２、ＡＰＰ３、ＡＰＰ４、ＡＰＰ５）および前記少なくとも第２の品質値のレベルに応じて無線リソース・ユニットを前記少なくとも第１の品質値（ＡＰＰ１、ＡＰＰ２、ＡＰＰ３、ＡＰＰ４、ＡＰＰ５）および前記少なくとも第２の品質値に割り当てるサブステップと、
を含む、受信機装置（ＲＡ）。
【発明の詳細な説明】
【技術分野】
【０００１】
本発明の実施形態は、無線通信システムにおけるチャネル・フィードバックに関し、より詳細には、ダウンリンクＣｏＭＰ送信（ＣｏＭＰ＝Ｃｏｏｒｄｉｎａｔｅｄ  Ｍｕｌｔｉｐｏｉｎｔ）のためのチャネル・フィードバックに関するが、それに限定されない。
【背景技術】
【０００２】
３ＧＰＰ  ＬＴＥシステム（３ＧＰＰ＝Ｔｈｉｒｄ  Ｇｅｎｅｒａｔｉｏｎ  Ｐａｒｔｎｅｒｓｈｉｐ  Ｐｒｏｊｅｃｔ、ＬＴＥ＝Ｌｏｎｇ−Ｔｅｒｍ  Ｅｖｏｌｕｔｉｏｎ）のような現代のセルラー無線通信システムは、高いスペクトル効率を達成するためにＭＩＭＯアンテナ技術（ＭＩＭＯ＝Ｍｕｌｔｉｐｌｅ  Ｉｎｐｕｔ  Ｍｕｌｔｉｐｌｅ  Ｏｕｔｐｕｔ）に依存している。
【０００３】
ネットワークＭＩＭＯとしても知られているダウンリンクＣｏＭＰは、無線通信システムの全体的なパフォーマンスを改善するための効果的な送信スキームである。それによって、全体的なデータ・レートは、さらなる周波数スペクトルを必要とすることなく、または送信パワーの増大を必要とすることなく、高められることが可能である。特に、２つの無線セルどうしの、または２つの無線セクタどうしの間の境界に位置しているユーザは、ダウンリンクＣｏＭＰ送信から恩恵を享受することができる。
【０００４】
ダウンリンクＣｏＭＰは、無線アクセス・ネットワークのいわゆるマルチポイント送信機から、１つまたは複数のいわゆるシングル・ポイント受信機、たとえば、１つまたは複数の移動局へのダウンリンク・データの送信である。マルチポイント送信機は、別々のロケーションに配置されている、無線アクセス・ネットワークの２つ以上のアンテナ・システムによって提供される。それらの２つのアンテナ・システムは、たとえば、２つの基地局または２つのＲＲＨ（ＲＲＨ＝Ｒｅｍｏｔｅ  Ｒａｄｉｏ  Ｈｅａｄ）であることが可能である。シングル・ポイント受信機は、単一のアンテナ・システムにのみ接続され、その単一のアンテナ・システムは、１つのアンテナ要素または複数のアンテナ要素を含むことができる。
【０００５】
ダウンリンクＣｏＭＰ送信スキームおよび対応する干渉アラインメントは、空間処理（たとえばプリコーディング）を介したセル間干渉が抑制されて、有用な信号寄与どうしがシングル・ポイント受信機においてコヒーレントに累積するような方法で、適切なダウンリンクＣｏＭＰ送信パラメータを特定するために、マルチポイント送信機において正確なチャネル状態情報を必要とする。
【０００６】
いわゆるＴＤＤ送信モード（ＴＤＤ＝Ｔｉｍｅ  Ｄｉｖｉｓｉｏｎ  Ｄｕｐｌｅｘ）におけるダウンリンクＣｏＭＰ送信のケースにおいては、マルチポイント送信機と同一場所に配置されている受信機におけるアップリンク・サウンディング信号の受信が適用されること、およびマルチポイント送信機からシングル・ポイント受信機へのダウンリンク・チャネルのチャネル状態の知識を得るために再利用されることが可能である。しかし、いわゆるＦＤＤ送信モード（ＦＤＤ＝Ｆｒｅｑｕｅｎｃｙ  Ｄｉｖｉｓｉｏｎ  Ｄｕｐｌｅｘ）におけるダウンリンクＣｏＭＰ送信のケースにおいては、無線アクセス・ネットワークの、ダウンリンクＣｏＭＰ送信のために使用されるダウンリンク周波数レンジと、移動局から単一のアンテナ・システムへのアップリンク送信、またはいくつかのアンテナ・システムへのアップリンク送信（アップリンクＣｏＭＰ送信とも呼ばれる）のために使用されるアップリンク周波数レンジとの間におけるいわゆるデュプレックス距離に起因して、マルチポイント送信機において完全なチャネル・レシプロシティーは利用可能ではない。そのようなケースにおいては、アップリンク・チャネルのチャネル特性または状況、たとえばノイズまたは高速フェージングは、ダウンリンク・チャネルのチャネル特性または状況とはまったく異なり、したがって、ダウンリンクＣｏＭＰ送信のための適切な送信パラメータの特定のために再利用されることは不可能である。したがって、ダウンリンクＣｏＭＰ送信のチャネル状況は、移動局において測定されなければならず、アップリンク・シグナリングを介して無線アクセス・ネットワークにフィードバックされなければならない。
【０００７】
そのアップリンク・シグナリングは、それぞれの移動局によって個々に実行され、そのことが意味しているのは、それぞれの移動局が、無線セルのいわゆる報告クラスタに関してチャネル状況を報告することができるということであり、その報告クラスタは、ダウンリンクＣｏＭＰ送信に関してマスター基地局などのネットワーク・ノードによって事前に定義されることが可能である。マスター基地局は、複数の移動局へのダウンリンク送信のための最適なダウンリンクＣｏＭＰ送信パラメータを計算するために、複数の移動局からのアップリンク・シグナリングを使用する。
【先行技術文献】
【非特許文献】
【０００８】
【非特許文献１】Ｇｕｎｔｈｅｒ  Ａｕｅｒ  ａｎｄ  Ｅｌｅｆｔｈｅｒｉｏｓ  Ｋａｒｉｐｉｄｉｓ、Ｐｉｌｏｔ  Ａｉｄｅｄ  Ｃｈａｎｎｅｌ  Ｅｓｔｉｍａｔｉｏｎ  ｆｏｒ  ＯＦＤＭ：  Ａ  Ｓｅｐａｒａｔｅｄ  Ａｐｐｒｏａｃｈ  ｆｏｒ  Ｓｍｏｏｔｈｉｎｇ  ａｎｄ  Ｉｎｔｅｒｐｏｌａｔｉｏｎ、２００５、Ｐｒｏｃｅｅｄｉｎｇｓ  ｏｆ  ｔｈｅ  ４０ｔｈ  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ（ＩＣＣ）、２１７３〜２１７８頁
【非特許文献２】Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日
【非特許文献３】Ｃ．Ｃｏｚｚｏ、Ｇ．Ｅ．Ｂｏｔｔｏｍｌｅｙ、Ａ．Ｓ．Ｋｈａｙｒａｌｌａｈ、「Ｒａｋｅ  ｒｅｃｅｉｖｅｒ  ｆｉｎｇｅｒ  ｐｌａｃｅｍｅｎｔ  ｆｏｒ  ｒｅａｌｉｓｔｉｃ  ｃｈａｎｎｅｌｓ」、ＩＥＥＥ  Ｗｉｒｅｌｅｓｓ  Ｃｏｍｍｕｎｉｃａｔｉｏｎｓ  ａｎｄ  Ｎｅｔｗｏｒｋｉｎｇ  Ｃｏｎｆｅｒｅｎｃｅ  ２００４、Ｖｏｌ．１、３１６〜３２１頁、２００４年３月２１日〜２５日
【非特許文献４】Ｊ．Ａ．Ｔｒｏｐｐ、Ａ．Ｃ．Ｇｉｌｂｅｒｔ、「Ｓｉｇｎａｌ  Ｒｅｃｏｖｅｒｙ  Ｆｒｏｍ  Ｒａｎｄｏｍ  Ｍｅａｓｕｒｅｍｅｎｔｓ  Ｖｉａ  Ｏｒｔｈｏｇｏｎａｌ  Ｍａｔｃｈｉｎｇ  Ｐｕｒｓｕｉｔ」、ＩＥＥＥ  Ｔｒａｎｓａｃｔｉｏｎｓ  ｏｎ  Ｉｎｆｏｒｍａｔｉｏｎ  Ｔｈｅｏｒｙ、Ｖｏｌ．５３、Ｎｏ．１２、４６５５〜４６６６頁、２００７年１２月
【非特許文献５】Ｔ．Ｃｏｖｅｒ、Ｊ．Ｔｈｏｍａｓ、「Ｅｌｅｍｅｎｔｓ  ｏｆ  Ｉｎｆｏｒｍａｔｉｏｎ  Ｔｈｅｏｒｙ」、Ｗｉｌｅｙ、Ｓｅｃｏｎｄ  Ｅｄｉｔｉｏｎ、２００６、ｓｅｃｔｉｏｎ  １０．３．３
【発明の概要】
【発明が解決しようとする課題】
【０００９】
ＦＤＤ送信モードにおけるダウンリンクＣｏＭＰのためのアップリンク・シグナリングは、必要とするフィードバック無線リソースをできる限り少なくすることによって、複数のセルにわたって非常に正確なチャネル知識を提供すべきである。したがって、本発明の実施形態の目的は、ダウンリンクＣｏＭＰのための効率的なチャネル状態フィードバックを提供することであり、マルチポイント送信機におけるダウンリンク・チャネル知識は、事前に定義された数のフィードバック無線リソースの使用に関して、できる限り最も正確であるべきである。
【課題を解決するための手段】
【００１０】
この目的は、送信機装置によってチャネル・フィードバックを生成して送信するための方法によって達成される。この方法は、無線通信システムの第１のアンテナ・システムから、送信機装置を含むネットワーク・ノードのアンテナ・システムへの第１の送信チャネルに関する、長期タイム・インターバルにわたって平均化された少なくとも１つの第１の品質値、および、無線通信システムの少なくとも１つの第２のアンテナ・システムから、ネットワーク・ノードのアンテナ・システムへの少なくとも１つの第２の送信チャネルに関する、長期タイム・インターバルにわたって平均化された少なくとも１つの第２の品質値を特定するステップを含む。この方法は、少なくとも第１の品質値および少なくとも第２の品質値に基づいて、事前に定義されたフィードバック無線リソースの無線リソース・ユニットの配分を特定するステップをさらに含むことができる。この方法は、少なくとも１つの第１の品質値および少なくとも１つの第２の品質値を含む長期フィードバックを受信機装置へ送信するステップをさらに含むことができる。この方法は、無線リソース・ユニットの配分を使用して、第１の送信チャネルに関する第１の短期情報、および少なくとも第２の送信チャネルに関する少なくとも第２の短期情報を含む短期フィードバックを長期タイム・インターバル以下の短期タイム・インターバルで受信機装置へ送信するステップをさらに含むことができる。
【００１１】
この目的は、チャネル・フィードバックを生成して送信するための送信機装置によってさらに達成される。この送信機装置は、無線通信システムの第１のアンテナ・システムから、この送信機装置を含むネットワーク・ノードのアンテナ・システムへの第１の送信チャネルに関する、長期タイム・インターバルにわたって平均化された少なくとも１つの第１の品質値、および、無線通信システムの少なくとも１つの第２のアンテナ・システムから、ネットワーク・ノードのアンテナ・システムへの少なくとも１つの第２の送信チャネルに関する、長期タイム・インターバルにわたって平均化された少なくとも１つの第２の品質値を特定するステップを行うための手段を含むことができる。この送信機装置は、少なくとも第１の品質値および少なくとも第２の品質値に基づいて、事前に定義されたフィードバック無線リソースの無線リソース・ユニットの配分を特定するステップを行うための手段をさらに含むことができる。この送信機装置は、少なくとも１つの第１の品質値および少なくとも１つの第２の品質値を含む長期フィードバックを受信機装置へ送信するステップを行うための、ならびに、無線リソース・ユニットの配分を使用して、第１の送信チャネルに関する第１の短期情報、および少なくとも第２の送信チャネルに関する少なくとも第２の短期情報を含む短期フィードバックを長期タイム・インターバル以下の短期タイム・インターバルで受信機装置へ送信するステップを行うための手段をさらに含むことができる。
【００１２】
複数の実施形態においては、少なくとも１つの第１の品質値および少なくとも１つの第２の品質値を特定するステップを行うための手段は、任意の第１の特定するユニット、第１の特定ユニット、第１の特定するモジュール、または第１の特定モジュールに相当することが可能である。したがって、複数の実施形態においては、少なくとも１つの第１の品質値および少なくとも１つの第２の品質値を特定するステップを行うための手段は、第１の送信チャネルおよび第２の送信チャネルを介して受信された基準信号に関する入力と、それらの受信された基準信号に基づいて少なくとも１つの第１の品質値および少なくとも１つの第２の品質値および短期フィードバックを特定するアルゴリズムと、少なくとも第１の品質値および少なくとも第２の品質値および短期フィードバックに関する出力とを含むことができる。いくつかの実施形態においては、少なくとも１つの第１の品質値および少なくとも１つの第２の品質値を特定するステップを行うための手段は、コンピュータ・プログラム、およびそのコンピュータ・プログラムが実行されるハードウェア・コンポーネント、たとえば、ＤＳＰ（ＤＳＰ＝Ｄｉｇｉｔａｌ  Ｓｉｇｎａｌ  Ｐｒｏｃｅｓｓｏｒ）、ＡＳＩＣ（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（ＦＰＧＡ＝Ｆｉｅｌｄ−Ｐｒｏｇｒａｍｍａｂｌｅ  Ｇａｔｅ  Ａｒｒａｙ）、またはその他の任意のプロセッサという点から実施されることが可能である。
【００１３】
複数の実施形態においては、無線リソース・ユニットの配分を特定するステップを行うための手段は、任意の第２の特定するユニット、第２の特定ユニット、第２の特定するモジュール、もしくは第２の特定モジュールに、または第１の特定するユニット、第１の特定ユニット、第１の特定するモジュール、もしくは第１の特定モジュールに相当することが可能である。したがって、複数の実施形態においては、無線リソース・ユニットの配分を特定するステップを行うための手段は、第１の送信チャネルの少なくとも第１の品質値および少なくとも第２の送信チャネルの少なくとも第２の品質値に関する入力と、少なくとも第１の品質値および少なくとも第２の品質値に基づいて無線リソース・ユニットの配分を特定するアルゴリズムと、無線リソース・ユニットの配分に関する出力とを含むことができる。いくつかの実施形態においては、無線リソース・ユニットの配分を特定するステップを行うための手段は、コンピュータ・プログラム、およびそのコンピュータ・プログラムが実行されるハードウェア・コンポーネント、たとえば、ＤＳＰ（ＤＳＰ＝Ｄｉｇｉｔａｌ  Ｓｉｇｎａｌ  Ｐｒｏｃｅｓｓｏｒ）、ＡＳＩＣ（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（ＦＰＧＡ＝Ｆｉｅｌｄ−Ｐｒｏｇｒａｍｍａｂｌｅ  Ｇａｔｅ  Ａｒｒａｙ）、またはその他の任意のプロセッサという点から実施されることが可能である。
【００１４】
複数の実施形態においては、送信するステップを行うための手段は、任意の送信ユニット、たとえば、送信機、トランシーバなどに相当することが可能である。したがって、複数の実施形態においては、送信するステップを行うための手段は、長期フィードバック、短期フィードバック、および無線リソース・ユニットの配分に関する入力と、長期フィードバックおよび／または短期フィードバックを含む無線周波数信号を生成するための、コーディング・ユニット、変調ユニット、および増幅ユニットなどのサブユニットを備えた無線信号生成ユニットと、長期フィードバックおよび／または短期フィードバックを含む無線周波数信号に関する出力とを含むことができる。いくつかの実施形態においては、送信するステップを行うための手段は、コンピュータ・プログラム、およびそのコンピュータ・プログラムが実行されるハードウェア・コンポーネント、たとえば、ＤＳＰ（ＤＳＰ＝Ｄｉｇｉｔａｌ  Ｓｉｇｎａｌ  Ｐｒｏｃｅｓｓｏｒ）、ＡＳＩＣ（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（ＦＰＧＡ＝Ｆｉｅｌｄ−Ｐｒｏｇｒａｍｍａｂｌｅ  Ｇａｔｅ  Ａｒｒａｙ）、またはその他の任意のプロセッサという点から部分的に実施されることが可能である。
【００１５】
この目的は、受信機装置においてチャネル・フィードバックを受信して取り出すための方法によってさらにいっそう達成される。この方法は、無線通信システムの第１のアンテナ・システムから、送信機装置を含むネットワーク・ノードのアンテナ・システムへの第１の送信チャネルに関する、長期タイム・インターバルにわたって平均化されている少なくとも１つの第１の品質値を含む長期フィードバックを送信機装置から受信するステップを含む。長期フィードバックは、無線通信システムの少なくとも１つの第２のアンテナ・システムから、ネットワーク・ノードのアンテナ・システムへの少なくとも１つの第２の送信チャネルに関する、長期タイム・インターバルにわたって平均化されている少なくとも１つの第２の品質値をさらに含む。この方法は、事前に定義されたフィードバック無線リソースの無線リソース・ユニットの配分を使用して、第１の送信チャネルに関する第１の短期情報、および少なくとも第２の送信チャネルに関する少なくとも第２の短期情報を含む短期フィードバックを短期タイム・インターバルによって送信機装置から受信するステップをさらに含む。無線リソース・ユニットの配分は、少なくとも第１の品質値および少なくとも第２の品質値に基づいて特定されることが可能である。短期タイム・インターバルは、長期タイム・インターバル以下であることが可能である。
【００１６】
この方法は、無線リソース・ユニットの配分に基づいて短期フィードバックから第１の短期情報および少なくとも第２の短期情報を特定するステップをさらに含む。
【００１７】
この目的は、チャネル・フィードバックを受信して取り出すための受信機装置によってさらにいっそう達成される。この受信機装置は、無線通信システムの第１のアンテナ・システムから、送信機装置を含むネットワーク・ノードのアンテナ・システムへの第１の送信チャネルに関する、長期タイム・インターバルにわたって平均化されている少なくとも１つの第１の品質値を含む長期フィードバックを送信機装置から受信するステップを行うための手段を含む。長期フィードバックは、無線通信システムの少なくとも１つの第２のアンテナ・システムから、ネットワーク・ノードのアンテナ・システムへの少なくとも１つの第２の送信チャネルに関する、長期タイム・インターバルにわたって平均化されている少なくとも１つの第２の品質値をさらに含む。受信するステップを行うための手段は、事前に定義されたフィードバック無線リソースの無線リソース・ユニットの配分を使用して、第１の送信チャネルに関する第１の短期情報、および少なくとも第２の送信チャネルに関する少なくとも第２の短期情報を含む短期フィードバックを長期タイム・インターバル以下の短期タイム・インターバルで送信機装置から受信するステップを行うようにさらに適合されている。無線リソース・ユニットの配分は、少なくとも第１の品質値および少なくとも第２の品質値に基づいて特定される。この受信機装置は、無線リソース・ユニットの配分に基づいて短期フィードバックから第１の短期情報および少なくとも第２の短期情報を特定するステップを行うための手段をさらに含む。
【００１８】
複数の実施形態においては、受信するステップを行うための手段は、任意の受信ユニット、たとえば、受信機、トランシーバなどに相当することが可能である。したがって、複数の実施形態においては、受信するステップを行うための手段は、長期フィードバックおよび／または短期フィードバックを含む無線周波数信号に関する入力と、前置増幅ユニット、デコーディング・ユニット、受信された無線周波数信号から長期フィードバックの情報および／または短期フィードバックの情報を抽出するための復調ユニットなどのサブユニットを備えた信号復元ユニットと、長期フィードバックの情報および／または短期フィードバックの情報に関する出力とを含むことができる。いくつかの実施形態においては、受信するステップを行うための手段は、コンピュータ・プログラム、およびそのコンピュータ・プログラムが実行されるハードウェア・コンポーネント、たとえば、ＤＳＰ（ＤＳＰ＝Ｄｉｇｉｔａｌ  Ｓｉｇｎａｌ  Ｐｒｏｃｅｓｓｏｒ）、ＡＳＩＣ（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（ＦＰＧＡ＝Ｆｉｅｌｄ−Ｐｒｏｇｒａｍｍａｂｌｅ  Ｇａｔｅ  Ａｒｒａｙ）、またはその他の任意のプロセッサという点から部分的に実施されることが可能である。
【００１９】
複数の実施形態においては、特定するステップを行うための手段は、無線リソース・ユニットの配分に基づいて短期フィードバックから第１の短期情報および少なくとも第２の短期情報を得るための任意の特定するユニット、特定ユニット、特定するモジュール、特定モジュール、復元するモジュール、または復元するユニットに相当することが可能である。したがって、複数の実施形態においては、取り出すステップを行うための手段は、長期フィードバックおよび短期フィードバックの情報に関する入力と、長期フィードバックの情報に基づいて無線リソース・ユニットの配分を得て、無線リソース・ユニットのその得られた配分に基づいて短期フィードバックから第１の短期情報および少なくとも第２の短期情報を得るアルゴリズムと、第１の短期情報および少なくとも第２の短期情報に関する出力とを含むことができる。いくつかの実施形態においては、取り出すステップを行うための手段は、コンピュータ・プログラム、およびそのコンピュータ・プログラムが実行されるハードウェア・コンポーネント、たとえば、ＤＳＰ（ＤＳＰ＝Ｄｉｇｉｔａｌ  Ｓｉｇｎａｌ  Ｐｒｏｃｅｓｓｏｒ）、ＡＳＩＣ（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（ＦＰＧＡ＝Ｆｉｅｌｄ−Ｐｒｏｇｒａｍｍａｂｌｅ  Ｇａｔｅ  Ａｒｒａｙ）、またはその他の任意のプロセッサという点から実施されることが可能である。
【００２０】
本発明の実施形態は、ダウンリンクＣｏＭＰのための無線リソースの効率的なフィードバック送信スキームを提供する。このフィードバック送信スキームはまた、無線通信システムから移動局へのダウンリンクＣｏＭＰ送信のために連携するさまざまな数の無線セルにとってフレキシブルかつスケーラブルである。
【００２１】
好ましい一実施形態によれば、無線リソース・ユニットの配分は、第１の送信チャネルに関して、および少なくとも１つの第２の送信チャネルに関してともに特定されることが可能である。
【００２２】
無線リソース・ユニットの配分がともに特定されることによって、マルチポイント送信機において必要とされるチャネル・ステーション情報に関して最も関連性の高い部分にわたって無線リソース・ユニットが配分されることが可能になる。それによって、量子化されていないチャネルに対して２乗誤差歪みが最小化されることが可能である。このことが意味しているのは、たとえば、周波数ドメインにおける歪みメトリックに関して、量子化されたチャネルのいわゆる複素ＣＴＦベクトル（ＣＴＦ＝Ｃｈａｎｎｅｌ  Ｔｒａｎｓｆｅｒ  Ｆｕｎｃｔｉｏｎ）が、量子化されていないＣＴＦから差し引かれて、その結果の絶対値の２乗が平均化されるということである。
【００２３】
さらなる好ましい一実施形態においては、第１の短期情報は、第１のアンテナ・システムの単一のアンテナ要素または複数のアンテナ要素のうちの１つから、ネットワーク・ノードのアンテナ・システムの単一のアンテナ要素または複数のアンテナ要素のうちの１つへの少なくとも１つの第１の送信パスに関連していることが可能であり、少なくとも第２の短期情報は、少なくとも第２のアンテナ・システムの単一のアンテナ要素または複数のアンテナ要素のうちの１つから、ネットワーク・ノードのアンテナ・システムの単一のアンテナ要素または複数のアンテナ要素のうちの１つへの少なくとも１つの第２の送信パスに関連していることが可能である。
【００２４】
またさらなる好ましい実施形態によれば、第１の送信チャネルおよび少なくとも第２の送信チャネルを介した直交周波数分割多重送信に関して、第１の短期情報は、少なくとも１つの第１の送信パスの周波数ドメイン・チャネル転送関数を再構築することを可能にする係数の第１のセットを含むことができ、少なくとも第２の短期情報は、少なくとも１つの第２の送信パスの周波数ドメイン・チャネル転送関数を再構築することを可能にする係数の少なくとも１つの第２のセットを含むことができ、または、たとえば、第１の送信チャネルおよび少なくとも第２の送信チャネルを介した符号分割多元接続送信もしくはワイドバンド符号分割多元接続送信に関して、第１の短期情報は、少なくとも１つの第１の送信パスの周波数ドメイン・チャネル転送関数もしくは時間ドメイン・チャネル・インパルス応答を再構築することを可能にする係数の第１のセットを含むことができ、少なくとも第２の短期情報は、少なくとも１つの第２の送信パスの周波数ドメイン・チャネル転送関数もしくは時間ドメイン・チャネル・インパルス応答を再構築することを可能にする係数の少なくとも１つの第２のセットを含むことができる。周波数ドメイン・チャネル転送関数は、好ましくは複素数値化されることが可能である。
【００２５】
好ましくは、無線リソース・ユニットの配分は、受信機装置によって事前に定義された報告クラスタのそれぞれの送信チャネルに関する少なくとも１つの無線リソース・ユニットを含むことができる。
【００２６】
上述の実施形態に関して、無線リソース・ユニットの配分は、好ましくは、逆注水アルゴリズムによって特定されることが可能である。逆注水アルゴリズムは、たとえば、注水レベルを段階的に低減するサブステップと、注水レベルを超えている少なくとも第１の品質値および少なくとも第２の品質値のそれぞれのレベルに応じて無線リソース・ユニットを少なくとも第１の品質値および少なくとも第２の品質値に割り当てるサブステップとを含むことができる。「逆注水」という用語は、本明細書においては、たとえば、逆にされた／逆の品質レベルまたはパワー・レベルの列が、利用可能なビットの総量である特定の量の「水」によって満たされ、結果として生じる列あたりの水レベルが、このそれぞれの列のための割り当てられたビットの量を表す技術を指す。
【００２７】
好ましい実施形態においては、長期フィードバックは、少なくとも１つの第１の品質値に関する少なくとも１つの第１の時間遅延値、および少なくとも１つの第２の品質値に関する少なくとも１つの第２の時間遅延値をさらに含むことができる。少なくとも第１の品質値は、第１のパワー値であることが可能であり、少なくとも第２の品質値は、第２のパワー値であることが可能である。
【００２８】
さらなる好ましい実施形態においては、少なくとも１つの第１の時間遅延値および少なくとも第１のパワー値は、第１のアンテナ・システムの単一のアンテナ要素または複数のアンテナ要素のうちの１つから、ネットワーク・ノードのアンテナ・システムの単一のアンテナ要素または複数のアンテナ要素のうちの１つへの間における、第１の送信チャネルの第１の送信パスに関する第１のチャネル・インパルス応答どうしにわたって平均化された第１のチャネル・インパルス応答の少なくとも１つの第１の極大に関して特定されることが可能であり、少なくとも第２の時間遅延値および少なくとも第２のパワー値は、少なくとも第２のアンテナ・システムの単一のアンテナ要素または複数のアンテナ要素のうちの１つから、ネットワーク・ノードのアンテナ・システムの単一のアンテナ要素または複数の前記アンテナ要素のうちの１つへの間における、少なくとも第２の送信チャネルの送信パスに関する第２のチャネル・インパルス応答どうしにわたって平均化された第２のチャネル・インパルス応答の少なくとも１つの第２の極大に関して特定されることが可能である。
【００２９】
第１のチャネル・インパルス応答および第２のチャネル・インパルス応答は、時間ドメイン・チャネル・インパルス応答であることが可能である。長期タイム・インターバルで時間的に平均化すること、および時間ドメイン・チャネル・インパルス応答どうしにわたって送信チャネルの送信パスどうしの間で空間的に平均化することは、送信チャネルに関するパワー遅延プロファイルと呼ばれることが可能である。
【００３０】
好ましくは、第１のチャネル・インパルス応答は、第１の送信チャネルのすべての可能な送信パスに関する第１のチャネル・インパルス応答どうしにわたって平均化することによって得られることが可能であり、少なくとも第２のチャネル・インパルス応答は、少なくとも第２の送信チャネルのすべての可能な送信パスに関する第２のチャネル・インパルス応答どうしにわたって平均化することによって得られることが可能である。
【００３１】
またさらなる好ましい実施形態においては、無線リソース・ユニットの配分に関する特定するステップは、無線リソース・ユニットを少なくとも第１の極大に、および少なくとも第２の極大に割り当てることができる。
【００３２】
好ましい一実施形態に関しては、長期フィードバックは、無線リソース・ユニットのゼロよりも多い割り当てられた数を伴って、平均化された第１のチャネル・インパルス応答の、および平均化された少なくとも第２のチャネル・インパルス応答の極大に関して送信されるだけであることが可能である。
【００３３】
２つの代替実施形態によれば、長期フィードバックに関する送信するステップは、長期タイム・インターバルによって繰り返されること、または無線リソース・ユニットの配分に関する特定するステップによって無線リソース・ユニットの配分が変更された場合に繰り返されることが可能である。
【００３４】
好ましくは、受信機装置によって実行される方法は、少なくとも１つの第１の品質値および少なくとも１つの第２の品質値に基づいて無線リソース・ユニットの配分を特定するステップをさらに含むことができる。
【００３５】
好ましい実施形態によれば、短期フィードバックは、第１の送信チャネルに関する第１の短期送信チャネル・パラメータと、少なくとも第２の送信チャネルに関する少なくとも第２の短期送信チャネル・パラメータとを含むことができ、第１の短期送信チャネル・パラメータの数、および少なくとも第２の短期送信チャネル・パラメータの数は、無線リソース・ユニットの配分に対応することが可能である。第１の短期送信チャネル・パラメータは、係数の第１のセットに対応することが可能であり、少なくとも第２の短期送信チャネル・パラメータは、係数の少なくとも第２のセットに対応することが可能である。
【００３６】
好ましい一実施形態においては、長期フィードバックは、第１のアンテナ・システムおよび少なくとも第２のアンテナ・システムのカバレッジ・エリアの表示、たとえばセルＩＤ（ＩＤ＝ｉｄｅｎｔｉｆｉｃａｔｉｏｎ）をさらに含むことができる。
【００３７】
またさらなるさまざまな実施形態においては、無線リソース・ユニットの配分は、少なくとも第１の品質値および少なくとも第２の品質値の送信によって送信機装置から受信機装置へ暗示的に送信されることが可能である。
【００３８】
好ましくは、送信機装置は、無線通信システムからシグナリング・メッセージを受信しておくことができ、そのシグナリング・メッセージは、報告を行う対象の送信チャネルまたは無線セルに関する表示を含み、それらの送信チャネルまたは無線セルに関する表示の順序は、長期フィードバックおよび／または短期フィードバック内のそれらの送信チャネルまたは無線セルに関する情報の順序を定義している。
【００３９】
さらなる実施形態によれば、第１の短期情報は、第１の送信チャネルに関する第１の速く変化するチャネル情報であることが可能であり、少なくとも第２の短期情報は、少なくとも第２の送信チャネルに関する少なくとも第２の速く変化するチャネル情報であることが可能であり、受信機装置によって実行される方法は、長期フィードバックの少なくとも第１のパワー値を用いて第１の速く変化するチャネル情報を、および長期フィードバックの少なくとも第２のパワー値を用いて少なくとも第２の速く変化するチャネル情報を、スケーリングするステップをさらに含むことができる。
【００４０】
本発明の実施形態のさらなる有利な特徴は、以降の詳細な説明において定義され、説明されている。
【００４１】
本発明の実施形態は、以降の詳細な説明において明らかになり、非限定的な例示として与えられている添付の図によって例示される。
【図面の簡単な説明】
【００４２】
【図１】４つの基地局と移動局とを含む例示的な無線通信システムのブロック図を概略的に示す図である。
【図２ａ】送信機装置の方法の例示的な流れ図の第１の部分を概略的に示す図である。
【図２ｂ】本発明の実施形態による送信機装置の方法の流れ図の第２の部分を概略的に示す図である。
【図３】送信機装置によって特定された、時間遅延の関数としての例示的な平均化されたチャネル・インパルス応答の特性図である。
【図４ａ】送信機装置によって特定された、３つの送信チャネルのチャネル・インパルス応答のいわゆる遅延タップに関する無線リソース・ユニットの配分の計算のための例示的なパワー遅延プロファイル図および２つの選択肢を示す図である。
【図４ｂ】送信機装置によって特定された、３つの送信チャネルのチャネル・インパルス応答のいわゆる遅延タップに関する無線リソース・ユニットの配分の計算のための例示的なパワー遅延プロファイル図および２つの選択肢を示す図である。
【図５】受信機装置の方法の例示的な流れ図を概略的に示す図である。
【図６】本発明の一実施形態による送信装置のブロック図を概略的に示す図である。
【図７】送信機装置を含む第１のネットワーク・ノードのブロック図を概略的に示す図である。
【図８】本発明の実施形態による受信機装置のブロック図を概略的に示す図である。
【図９】受信機装置を含む第２のネットワーク・ノードのブロック図を概略的に示す図である。
【発明を実施するための形態】
【００４３】
図１は、例示的な４つの基地局ＢＳ１、ＢＳ２、ＢＳ３、ＢＳ４を含む無線通信システムＲＣＳを概略的に示している。４つの基地局ＢＳ１、ＢＳ２、ＢＳ３、ＢＳ４の間におけるケーブル接続、ファイバ接続、またはワイヤレス接続などの接続、たとえば、３ＧＰＰ  ＬＴＥ無線通信ネットワーク用に指定されているようなＸ２インターフェースは、説明を簡単にするために示されていない。また、さらなる基地局、無線通信システムＲＣＳのその他のネットワーク・ノード、および対応する接続も、説明を簡単にするために示されていない。無線通信システムＲＣＳは、たとえば、ＩＥＥＥ８０２．１１標準によって定義されているようなＷＬＡＮ、ＷｉＭＡＸフォーラムによって承認されているＩＥＥＥ８０２．１６ファミリーのワイヤレスネットワーク標準のうちの１つなどのＷｉＭＡＸネットワーク（ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、または、３ＧＰＰ（３ＧＰＰ＝Ｔｈｉｒｄ  Ｇｅｎｅｒａｔｉｏｎ  Ｐａｒｔｎｅｒｓｈｉｐ  Ｐｒｏｊｅｃｔ）によって定義されているようなＬＴＥ無線ネットワーク（ＬＴＥ＝Ｌｏｎｇ  Ｔｅｒｍ  Ｅｖｏｌｕｔｉｏｎ）であることが可能である。
【００４４】
「基地局」という用語は、ベース・トランシーバ・ステーション、アクセス・ポイント基地局、アクセス・ポイント、マクロセル、ミクロセル、フェムトセル、ピコセルなどと同義とみなされること、および／またはそのように呼ばれることが可能であり、１つまたは複数の無線リンクを介して１つまたは複数の移動局にワイヤレス接続を提供する機器を記述することができる。
【００４５】
第１の基地局ＢＳ１は、２つのアンテナ要素を備えたアンテナ・システムＡＳ１を含むことができ、第１の無線セルＣ１内で無線周波数信号を送信および受信することができる。同様に、第２の基地局ＢＳ２は、２つのアンテナ要素を備えたアンテナ・システムＡＳ２を含むことができ、第２の無線セルＣ２内で無線周波数信号を送信および受信することができ、第３の基地局ＢＳ３は、２つのアンテナ要素を備えたアンテナ・システムＡＳ３を含むことができ、第３の無線セルＣ３内で無線周波数信号を送信および受信することができ、第４の基地局ＢＳ４は、２つのアンテナ要素を備えたアンテナ・システムＡＳ４を含むことができ、第４の無線セルＣ４内で無線周波数信号を送信および受信することができる。基地局ＢＳ１、ＢＳ２、ＢＳ３、およびＢＳ４は、ダウンリンク送信に関しては第１の周波数レンジで、およびアップリンク送信に関しては第２の周波数レンジで、ＦＤＤ送信モードにおいてＬＴＥ  ＯＦＤＭ送信スキームに従って例示的に運用されることが可能である。
【００４６】
無線通信システムＲＣＳに関するさまざまな代替実施形態が可能である。
【００４７】
基地局のうちのいくつかは、ＲＲＨによって取って代わられることが可能であり、たとえば、第１の基地局ＢＳ１は、第１のＲＲＨに接続されることが可能であり、その第１のＲＲＨは、第２の基地局ＢＳ２に取って代わり、第１の基地局ＢＳ１は、第２のＲＲＨに接続されることが可能であり、その第２のＲＲＨは、第３の基地局ＢＳ３に取って代わる。それによって、無線セルＣ１、Ｃ２、およびＣ３は、第１の基地局ＢＳ１の無線セル全体の別々のセクタになることが可能である。アンテナ・システムＡＳ１、ＡＳ２、ＡＳ３、およびＡＳ４は、別々の数のアンテナ要素を含むことができ、たとえば、第１のアンテナ・システムＡＳ１は、４つのアンテナ要素を含むことができ、第２のアンテナ・システムＡＳ２は、単一のアンテナ要素を含むことができ、第３のアンテナ・システムＡＳ３は、２つのアンテナ要素を含むことができ、第４のアンテナ・システムＡＳ４は、４つのアンテナ要素を含むことができる。基地局ＢＳ１、ＢＳ２、ＢＳ３、およびＢＳ４は、いわゆる異種ネットワークを構成するためにマクロ基地局とフェムト基地局との混合物であることが可能である。
【００４８】
たとえば単一のアンテナ要素を備えたアンテナ・システムＡＳを含む移動局ＭＳが、第１の無線セルＣ１、第２の無線セルＣ２、第３の無線セルＣ３、および第４の無線セルＣ４の重なり領域内に例示的に配置されることが可能である。説明を簡単にするために、さらなる移動局は示されていない。
【００４９】
「移動局」という用語は、モバイル・ユニット、モバイル・ユーザ、アクセス端末、ユーザ機器、サブスクライバー、ユーザ、リモート・ステーションなどと同義とみなされることが可能であり、以降では時折そのように呼ばれる場合がある。移動局ＭＳは、たとえば、セルラー電話、ポータブル・コンピュータ、ポケット・コンピュータ、ハンドヘルド・コンピュータ、携帯情報端末、または車載モバイル・デバイスであることが可能である。
【００５０】
代替実施形態においては、移動局ＭＳは、リピータまたはリレーによって取って代わられることが可能であり、そのことが意味しているのは、ダウンリンクＣｏＭＰ送信がそのリピータまたはリレーに対して適用されることが可能であるということである。「リピータ」という用語は、信号を受信して、単にその信号を、より高いレベルもしくはより高いパワーで、または障害物の別の側へ再送信し、それによって、その信号がより長い距離をカバーできるようにする電子デバイスと同義とみなされること、および／またはそのように呼ばれることが可能である。「リレー」という用語は、信号を受信して、異なる信号を、より高いレベルまたはより高いパワーでのみならず、異なる周波数ならびに／または異なるタイム・スロットおよび／もしくは拡散コードでも再送信して、ワイヤレス・アクセス・ネットワークにおけるキャパシティーを増大し、ワイヤレス・リンク・パフォーマンスを改善する電子デバイスと同義とみなされること、および／またはそのように呼ばれることが可能である。無線セルＣ１、Ｃ２、Ｃ３、およびＣ４の境界における移動局ＭＳのロケーションに起因して、アンテナ・システムＡＳ１、ＡＳ２、ＡＳ３、およびＡＳ４、ならびに対応する基地局ＢＳ１、ＢＳ２、ＢＳ３、およびＢＳ４が、移動局ＭＳに対するダウンリンクＣｏＭＰ送信のための潜在的な候補である。ダウンリンクＣｏＭＰ送信のためにアンテナ・システムＡＳ１、ＡＳ２、ＡＳ３、およびＡＳ４がマルチポイント送信機の一部になるための適格性は、第１の基地局ＢＳ１から第１の送信チャネルＴＣ１を介して移動局ＭＳへ送信された第１の基準信号の受信品質と、第２の基地局ＢＳ２から第２の送信チャネルＴＣ２を介して移動局ＭＳへ送信された第２の基準信号の受信品質と、第３の基地局ＢＳ３から第３の送信チャネルＴＣ３を介して移動局ＭＳへ送信された第３の基準信号の受信品質と、第４の基地局ＢＳ４から第４の送信チャネルＴＣ４を介して移動局ＭＳへ送信された第４の基準信号の受信品質とに基づくことが可能であり、移動局ＭＳは、それらの基準信号を受信して測定し、さまざまな送信チャネルＴＣ１、ＴＣ２、ＴＣ３、およびＴＣ４に関するそれらの基準信号の受信品質の評価を実行する。
【００５１】
第１の送信チャネルＴＣ１は、第１の基準信号が第１のアンテナ・システムＡＳ１の第１のアンテナ要素ＡＥ１から移動局ＭＳのアンテナ・システムＡＳのアンテナ要素へ伝搬する際に経由する第１の送信パスＴＰ１と、第２の基準信号が第１のアンテナ・システムＡＳ１の第２のアンテナ要素ＡＥ２から移動局ＭＳのアンテナ・システムＡＳのアンテナ要素へ伝搬する際に経由する第２の送信パスＴＰ２とから構成されることが可能である。第１の送信パスＴＰ１および第２の送信パスＴＰ２は、第１のアンテナ・システムＡＳ１とアンテナ・システムＡＳとの間における環境によって影響される場合があり、反射および散乱に基づくことが可能である（図１における第１の送信パスＴＰ１および第２の送信パスＴＰ２に関しては、単一の反射が例示されている）。第２の送信チャネルＴＣ２、第３の送信チャネルＴＣ３、および第４の送信チャネルＴＣ４も、同様の送信パスから構成されることが可能であり、それらの送信パスは、説明を簡単にするために図１においては示されていない。
【００５２】
「基準信号」という用語は、基準シンボル、ＣＳＩ基準シンボル（ＣＳＩ＝Ｃｈａｎｎｅｌ  Ｓｔａｔｅ  Ｉｎｆｏｒｍａｔｉｏｎ）、パイロット、パイロット信号、パイロット・シンボル、ビーコン、ビーコン信号などと同義とみなされること、および／またはそのように呼ばれることが可能である。
【００５３】
移動局ＭＳは、チャネル・フィードバックを、アップリンク送信チャネル上で、ダウンリンクＣｏＭＰ送信をコーディネートする第１の基地局ＢＳ１などのマスター基地局へ、またはいわゆるアップリンクＣｏＭＰ受信スキームに従ってコーディネートされるいわゆるダウンリンクＣｏＭＰクラスタのいくつかの基地局へシグナリングすることができる。チャネル・フィードバックの詳細は、以降で図２〜図５の説明に関連して与えられる。チャネル・フィードバックは、移動局ＭＳへのダウンリンクＣｏＭＰ送信を最適化するために、またはダウンリンクＣｏＭＰ送信がより適切か、もしくは単一のポイントから単一のポイントへの送信がより適切かを決定するために、無線通信システムＲＣＳによって使用される。ダウンリンクＣｏＭＰ送信スキームは、たとえば、マルチポイント送信機のために適切なアンテナ・システムを選択することによって、またはより適切なコーディング・スキームおよび／もしくはより適切な変調スキームを選択することによって最適化されることが可能である。
【００５４】
ダウンリンクＣｏＭＰ送信のためのマスター基地局ＢＳ１は、無線通信システムＲＣＳの無線セルＣ１、Ｃ２、Ｃ３、およびＣ４内の移動局ＭＳの現在のロケーションに応じて、移動局ＭＳのための報告クラスタを特定することができる。報告クラスタは、移動局ＭＳがチャネル・フィードバックを提供する対象の無線セルを含む。マスター基地局ＢＳ１は、たとえば、移動局ＭＳが長期および短期のフィードバック・レポートを生成する対象の無線セルのセルＩＤをシグナリングすることによって、報告クラスタの情報を移動局ＭＳへ送信およびシグナリングすることができる。図１に関して、マスター基地局ＢＳ１は、たとえば、第１の基地局ＢＳ１、第２の基地局ＢＳ２、および第３の基地局ＢＳ３に基づいて報告クラスタを特定することを決定することができる。第４の基地局ＢＳ４は、たとえば、第４の基地局ＢＳ４と移動局ＭＳとの間における距離が、基地局ＢＳ１、ＢＳ２、およびＢＳ３と移動局ＭＳとの間における対応する距離よりも長いため、省略されることが可能である。距離は、無線セルあたりの異なるダウンリンク受信信号パワーの意味で意図されることが可能であるということ、または距離は、移動局の現在の位置に応じてセルあたりの受信パワー・レベルのデータ・ベースを使用してロケーション情報から引き出されることが可能であるということなど、その他の決定基準が可能である。さらに、報告を行う対象の無線セルの総数は、マスター基地局ＢＳ１によって制限されることが可能である。報告クラスタのメンバーに関するマスター基地局ＢＳ１の決定をサポートするために、たとえば、やはり別々の無線セルの受信信号パワー・レベルを含む過去のハンドオーバー測定値が使用されることが可能である。あるいは、マスター基地局ＢＳ１は、潜在的なコーディネーション・セットの結果として生じるチャネル・キャパシティーを推定して、コーディネーション後の結果として生じるキャパシティーを著しく増大することが可能である無線セルのみを報告クラスタのメンバーとして含めることができる。
【００５５】
マスター基地局ＢＳ１、または無線通信システムＲＣＳのさらなるネットワーク・ノード、たとえば、オペレーションおよびメンテナンス・ネットワーク・ノードはさらに、いわゆる短期フィードバックを移動局ＭＳからマスター基地局ＢＳ１へシグナリングするための事前に定義されたフィードバック無線リソースのサイズを特定することができる。事前に定義されたフィードバック無線リソースのサイズは、たとえば、事前に定義されたフィードバック無線リソースのためにアップリンク無線リソース全体のうちの事前に定義された数のビットを確保することによって特定されることが可能である。それぞれが２つのアンテナ要素を含む４つのアンテナ・システムを備えたマルチポイント送信機と、単一のアンテナ要素を含む移動局ＭＳとのケースにおいては、短期フィードバックの事前に定義されたフィードバック無線リソースのサイズは、たとえば、２５ビットと３０ビットとの間の範囲であることが可能である。
【００５６】
マスター基地局ＢＳ１、または無線通信システムＲＣＳのさらなるネットワーク・ノードはさらに、移動局ＭＳから、およびさらなる移動局からマスター基地局ＢＳ１へ長期フィードバックをシグナリングするための１００ｍｓなどの長期タイム・インターバルを特定することができる。長期タイム・インターバルは、好ましくは、いわゆる大規模な散乱環境内の変化、たとえば、電波伝搬の主要な散乱クラスタが、たとえば時間遅延の著しい変化（たとえばＯＦＤＭシンボル時間サンプルのオーダーの一部）によって、大幅に変化した場合の、または無線周波数信号に関する新たな主要な散乱オブジェクトが、たとえば移動局ＭＳが家のコーナーの周りで動いている際に、現れたもしくは消えた場合の変化のスピードに適合されることが可能である。大規模な散乱環境のそのような変化は、移動局ＭＳが、たとえば１００キャリア周波数電波波長を超える距離を移動した場合（基本的にキャリア周波数電波波長の数は、ダウンリンクＣｏＭＰ送信の信号帯域幅に依存する）、または車もしくはトラックなどの散乱オブジェクトが、送信チャネルの送信パスの領域内に、もしくは領域外に移動した場合に、生じることが可能である。
【００５７】
マスター基地局ＢＳ１、または無線通信システムＲＣＳのさらなるネットワーク・ノードはさらに、移動局ＭＳからマスター基地局ＢＳ１へ短期フィードバックをシグナリングするための１０ｍｓなどの短期タイム・インターバルを特定することができる。短期タイム・インターバルは、好ましくは、いわゆる高速フェージング環境内の変化のスピードに適合されることが可能である。高速フェージング環境は、移動局ＭＳの現在の位置がキャリア周波数電波波長の一部の中で変更されることが可能である場合に、変化することが可能である。それによって、受信信号の位相および振幅は、たとえばドップラー効果によって既に変更されていることが可能である。高速フェージングは、チャネル・インパルス応答の振幅および位相のバリエーションをもたらし、したがって、チャネル転送関数ももたらす。
【００５８】
マスター基地局ＢＳ１は、たとえば、マスター基地局ＢＳ１が移動局ＭＳのための新たなマスター基地局になった場合、または利用可能なアップリンク無線リソースの変化が、事前に定義されたサイズを超えた場合に、事前に定義されたフィードバック無線リソースのサイズ、長期タイム・インターバル、および短期タイム・インターバルの情報を移動局ＭＳへ送信およびシグナリングすることができる。
【００５９】
代替実施形態においては、事前に定義されたフィードバック無線リソースのサイズ、長期タイム・インターバル、および短期タイム・インターバルは、配信されたときに、マスター基地局ＢＳ１および移動局ＭＳにおいて既に事前に定義されていることが可能である。
【００６０】
移動局ＭＳにおける処理リソースを制限するために、移動局ＭＳは、好ましくは、受信された基準信号のみを処理すること、ならびに報告クラスタの受信された情報に対応する送信チャネルＴＣ１、ＴＣ２、およびＴＣ３に関するチャネル・インパルス応答のみを特定することが可能である。
【００６１】
長期フィードバックおよび短期フィードバックを送信するための移動局ＭＳのオペレーションについて、以降で図２、図３、および図４に関連して説明する。
【００６２】
図２ａは、方法Ｍ１−ＴＡの流れ図の第１の部分を示しており、方法Ｍ１−ＴＡは、たとえば移動局ＭＳの送信機装置によって実行されることが可能である。方法Ｍ１−ＴＡを実行するためのステップの数は重要ではなく、当業者なら理解できるように、ステップの数およびステップのシーケンスは、添付の特許請求の範囲において定義されている本発明の実施形態の範囲から逸脱することなく変わることが可能である。方法Ｍ１−ＴＡは、たとえば、報告クラスタ、短期フィードバックに関する事前に定義されたフィードバック無線リソースのサイズ、長期タイム・インターバル、および短期タイム・インターバルに関する情報が初めて送信されたときに開始されることが可能であり、または、これらのパラメータのうちの１つがマスター基地局ＢＳ１から移動局ＭＳへの新たなシグナリング・メッセージに従って変更されたときに再開されることが可能である。
【００６３】
第１のステップＳ１−Ｍｌにおいて、第１のタイマーＴ１が、短期タイム・インターバルに従って始動されることが可能であり、第２のタイマーＴ２が、長期タイム・インターバルに従って始動されることが可能である。さらに、長期フィードバックを初めて送信したことを表すインジケータＦＬＴＦＩがゼロに設定されることが可能である。
【００６４】
さらなるステップＳ２−Ｍ１に従って、たとえば２０ＭＨｚのＬＴＥ周波数帯域などの事前に定義されたダウンリンク周波数レンジ内で別々のＯＦＤＭサブキャリアによって送信チャネルＴＣ１、ＴＣ２、およびＴＣ３を介して受信された、またはＬＴＥ周波数帯域のサブバンドに制限されることが可能である基準信号が測定される。
【００６５】
次なるステップＳ３−Ｍ１において、第１のタイマーＴ１の短期タイム・インターバルが経過したかどうかが確認される。短期タイム・インターバルが経過していない場合には、ステップＳ２−Ｍ１が、再び実行されることが可能である。そうではなく短期タイム・インターバルが経過した場合には、ステップＳ４−Ｍ１が、次なるステップとして実行されることが可能である。
【００６６】
ステップＳ４−Ｍ１において、たとえば、第１のアンテナ・システムＡＳ１の第１のアンテナ要素から移動局ＭＳのアンテナ・システムＡＳの第１のアンテナ要素への第１の送信チャネルＴＣ１の第１の送信パスに関して、第１のチャネル転送関数ＣＴＦ１が特定されることが可能である。説明を簡単にするために、移動局ＭＳのアンテナ・システムＡＳは、図１において示されているように単一のアンテナ要素のみを含むことができる。当業者なら、複数のアンテナ要素を備えたアンテナ・システムを含む移動局向けに方法Ｍ１−ＴＡを容易に適合させることができる。第１のチャネル転送関数ＣＴＦ１は、たとえば、周波数ｆの関数としてのＨ（ｆ）によって与えられることが可能であり、たとえば、Ｇｕｎｔｈｅｒ  Ａｕｅｒ  ａｎｄ  Ｅｌｅｆｔｈｅｒｉｏｓ  Ｋａｒｉｐｉｄｉｓ、Ｐｉｌｏｔ  Ａｉｄｅｄ  Ｃｈａｎｎｅｌ  Ｅｓｔｉｍａｔｉｏｎ  ｆｏｒ  ＯＦＤＭ：  Ａ  Ｓｅｐａｒａｔｅｄ  Ａｐｐｒｏａｃｈ  ｆｏｒ  Ｓｍｏｏｔｈｉｎｇ  ａｎｄ  Ｉｎｔｅｒｐｏｌａｔｉｏｎ、２００５、Ｐｒｏｃｅｅｄｉｎｇｓ  ｏｆ  ｔｈｅ  ４０ｔｈ  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ（ＩＣＣ）、２１７３〜２１７８頁に従って、ダウンリンク送信チャネルＴＣ１、ＴＣ２、およびＴＣ３の別々のＯＦＤＭサブキャリアにおいて基準信号を測定することによって特定されることが可能である。ステップＳ４−Ｍ１は、好ましくは、第１の送信チャネルＴＣ１のその他のすべての送信パスに関して（たとえば、第１のアンテナ・システムＡＳ１の第２のアンテナ要素から移動局ＭＳのアンテナ・システムの第１のアンテナ要素への第１の送信チャネルＴＣ１の第２の送信パスに関する第２のチャネル転送関数ＣＴＦ２を得るために）、ならびに、さらなる送信チャネルＴＣ２およびＴＣ３に関するさらなるチャネル転送関数を得るために繰り返されることが可能である。
【００６７】
さらなるステップＳ５−Ｍ１において、第１のチャネル・インパルス応答ＣＩＲ１が、Ｇｕｎｔｈｅｒ  Ａｕｅｒ  ａｎｄ  Ｅｌｅｆｔｈｅｒｉｏｓ  Ｋａｒｉｐｉｄｉｓ、Ｐｉｌｏｔ  Ａｉｄｅｄ  Ｃｈａｎｎｅｌ  Ｅｓｔｉｍａｔｉｏｎ  ｆｏｒ  ＯＦＤＭ：  Ａ  Ｓｅｐａｒａｔｅｄ  Ａｐｐｒｏａｃｈ  ｆｏｒ  Ｓｍｏｏｔｈｉｎｇ  ａｎｄ  Ｉｎｔｅｒｐｏｌａｔｉｏｎ、２００５、Ｐｒｏｃｅｅｄｉｎｇｓ  ｏｆ  ｔｈｅ  ４０ｔｈ  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ（ＩＣＣ）、２１７３〜２１７８頁において記載されているような第１のチャネル転送関数ＣＴＦ１の逆離散フーリエ変換を実行することによって、時間ｔの関数ｈ（ｔ）として特定されることが可能である。ステップＳ５−Ｍ１は、好ましくは、ステップＳ４−Ｍ１中に特定されたその他のすべてのチャネル転送関数に関して繰り返されることが可能である（たとえば、第２のチャネル・インパルス応答ＣＩＲ２は、第２のチャネル転送関数ＣＴＦ２の逆離散フーリエ変換によって特定されることが可能である）。
【００６８】
次なるステップＳ６−Ｍ１において、第１の送信パスＴＣ１に、または第１のアンテナ・システムＡＳ１の同一場所に配置されているアンテナ要素のセットに属しているチャネル・インパルス応答ＣＩＲ１、ＣＩＲ２が、たとえば２乗平均平方根関数を適用することによって平均されて、短期フィードバックの第１の報告サイクルに関する平均化されたチャネル・インパルス応答ＣＩＲ＿ＴＣ１＿ＲＣ１が特定される。ステップＳ６−Ｍ１は、好ましくは、その他の送信チャネルＴＣ２およびＴＣ３に関して繰り返されること、つまり、第２のアンテナ・システムＡＳ２および第３のアンテナ・システムＡＳ３の同一場所に配置されているアンテナ要素のセットあたり１回繰り返されることが可能である。
【００６９】
さらなるステップＳ７−Ｍ１において、インジケータＦＬＴＦＩがゼロに設定されているかどうかが確認される。インジケータＦＬＴＦＩがゼロに設定されている場合には、ステップＳ１１−Ｍｌが、次なるステップとして実行される。インジケータＦＬＴＦＩがゼロに設定されていない場合には、ステップＳ８−Ｍｌが、次なるステップとして実行される。
【００７０】
次なるステップＳ８−Ｍ１において、第２のタイマーＴ２の長期タイム・インターバルが経過したかどうかが確認される。長期タイム・インターバルが経過した場合には、ステップＳ９−Ｍ１が、次なるステップとして実行されることが可能である。長期タイム・インターバルが経過していない場合には、ステップＳ１４−Ｍ１が、次なるステップとして実行されることが可能である。
【００７１】
さらなるステップＳ９−Ｍ１において、第１の送信チャネルＴＣ１に関する時間で平均化されたチャネル・インパルス応答ＣＩＲ＿ＴＣ１が、たとえば次の方法で特定されることが可能であり、短期フィードバックの第１の報告サイクルの平均化されたチャネル・インパルス応答ＣＩＲ＿ＴＣ１＿ＲＣ１、および長期フィードバックの報告サイクル内の短期フィードバックのさらなる報告サイクルのさらなる平均チャネル・インパルス応答が、時間で平均化される。ステップＳ９−Ｍ１は、好ましくは、さらなる送信チャネルＴＣ２およびＴＣ３に関して繰り返されること、つまり、第２のアンテナ・システムＡＳ２および第３のアンテナ・システムＡＳ３の同一場所に配置されているアンテナ要素のセットあたり１回繰り返されることが可能である。
【００７２】
さらなるステップＳ１０−Ｍ１において、第２のタイマーＴ２が、長期タイム・インターバルを伴って再始動されることが可能である。
【００７３】
図２ｂに示されている次なるステップＳ１１−Ｍｌにおいて、いわゆる遅延タップ、すなわち、それらの対応する平均パス・パワーおよびそれらの対応する時間遅延値が、平均化されたチャネル・インパルス応答ＣＩＲ＿ＴＣ１に関して特定されることが可能である。遅延タップは、図３において示されている時間遅延τの関数としての時間平均チャネル・インパルス応答ＣＩＲ＿ＴＣ１の極大値である。Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日において記載されているような、または、Ｃ．Ｃｏｚｚｏ、Ｇ．Ｅ．Ｂｏｔｔｏｍｌｅｙ、Ａ．Ｓ．Ｋｈａｙｒａｌｌａｈ、「Ｒａｋｅ  ｒｅｃｅｉｖｅｒ  ｆｉｎｇｅｒ  ｐｌａｃｅｍｅｎｔ  ｆｏｒ  ｒｅａｌｉｓｔｉｃ  ｃｈａｎｎｅｌｓ」、ＩＥＥＥ  Ｗｉｒｅｌｅｓｓ  Ｃｏｍｍｕｎｉｃａｔｉｏｎｓ  ａｎｄ  Ｎｅｔｗｏｒｋｉｎｇ  Ｃｏｎｆｅｒｅｎｃｅ  ２００４、Ｖｏｌ．１、３１６〜３２１頁、２００４年３月２１日〜２５日においてさらに詳述されているようなレーキフィンガー選択アルゴリズムに類似したパス・プロファイリング・スキームが、前のステップがステップＳ７−Ｍ１であった場合には、（図３において示されていない）平均化されたチャネル・インパルス応答ＣＩＲ＿ＴＣ１＿ＲＣ１の時間ドメイン・プロファイルからの最も著しい遅延タップを識別するために適用されることが可能であり、前のステップがステップＳ９−Ｍ１であった場合には、（図３において示されている）時間で平均化されたチャネル・インパルス応答ＣＩＲ＿ＴＣ１の時間ドメイン・プロファイルからの最も著しい遅延タップを識別するために適用されることが可能である。図３は、ステップＳ１１−Ｍ１によって識別された、時間で平均化されたチャネル・インパルス応答ＣＩＲ＿ＴＣ１の時間ドメイン・プロファイルの例示的な５つの遅延タップＴＡＰ１、ＴＡＰ２、ＴＡＰ３、ＴＡＰ４、およびＴＡＰ５を示している。例として第１の送信チャネルＴＣ１の第１の品質値に関する平均パス・パワー値ＡＰＰ１、ＡＰＰ２、ＡＰＰ３、ＡＰＰ４、およびＡＰＰ５、ならびに遅延タップＴＡＰ１、ＴＡＰ２、ＴＡＰ３、ＴＡＰ４、およびＴＡＰ５に関する対応する時間遅延値ｔ１、ｔ２、ｔ３、ｔ４、およびｔ５も、図３において示されている。ステップＳ１０−Ｍ１は、好ましくは、さらなる送信チャネルＴＣ２およびＴＣ３のさらなる平均化されたチャネル・インパルス応答に関して繰り返されることが可能である。
【００７４】
遅延タップのさらにきめ細かい分解能を得るための代替実施形態によって、Ｊ．Ａ．Ｔｒｏｐｐ、Ａ．Ｃ．Ｇｉｌｂｅｒｔ、「Ｓｉｇｎａｌ  Ｒｅｃｏｖｅｒｙ  Ｆｒｏｍ  Ｒａｎｄｏｍ  Ｍｅａｓｕｒｅｍｅｎｔｓ  Ｖｉａ  Ｏｒｔｈｏｇｏｎａｌ  Ｍａｔｃｈｉｎｇ  Ｐｕｒｓｕｉｔ」、ＩＥＥＥ  Ｔｒａｎｓａｃｔｉｏｎｓ  ｏｎ  Ｉｎｆｏｒｍａｔｉｏｎ  Ｔｈｅｏｒｙ、Ｖｏｌ．５３、Ｎｏ．１２、４６５５〜４６６６頁、２００７年１２月において記載されているようないわゆるＯＭＰ（ＯＭＰ＝Ｏｒｔｈｏｇｏｎａｌ  Ｍａｔｃｈｉｎｇ  Ｐｕｒｓｕｉｔ）などの検索アルゴリズムが適用されることが可能である。
【００７５】
さらなるステップＳ１２−Ｍ１において、短期フィードバックに関する事前に定義された無線リソースの無線リソース・ユニットの配分が、たとえば次の方法で特定されることが可能であり、短期フィードバックに関する事前に定義されたフィードバック無線リソースが、少なくとも第１の品質値および少なくとも第２の品質値に応じて、第１の送信チャネルＴＣ１に関する短期フィードバックの繰り返される送信に関する第１のセグメントと、第２の送信チャネルＴＣ２および第３の送信チャネルＴＣ３の短期フィードバックの繰り返される送信に関する少なくとも１つの第２のセグメントとに分割されることが可能である。方法Ｍ１−ＴＡが開始または再開されている場合には、例外が適用される。そのようなケースにおいては、少なくとも第１の品質値および少なくとも第２の品質値は、長期タイム・インターバルにわたって平均化されず、瞬間的な品質値、または短期タイム・インターバルにわたって平均化された品質値が適用されることが可能である。それらの品質値は、たとえば、ステップＳ１１−Ｍｌ中に特定された平均パス・パワー値ＡＰＰ１、ＡＰＰ２、ＡＰＰ３、ＡＰＰ４、およびＡＰＰ５であることが可能である。
【００７６】
事前に定義されたフィードバック無線リソースのセグメントへのビット割り当てが、たとえば、Ｔ．Ｃｏｖｅｒ、Ｊ．Ｔｈｏｍａｓ、「Ｅｌｅｍｅｎｔｓ  ｏｆ  Ｉｎｆｏｒｍａｔｉｏｎ  Ｔｈｅｏｒｙ」、Ｗｉｌｅｙ、Ｓｅｃｏｎｄ  Ｅｄｉｔｉｏｎ、２００６、ｓｅｃｔｉｏｎ  １０．３．３において記載されているような逆注水アルゴリズムを適用することによって特定されることが可能である。それによって、ビット割り当て問題は、独立ガウス・ソースのソース・コーディング問題と同様に取り扱われることが可能であり、逆注水アルゴリズムは、２乗誤差歪みを伴うシャノンのレート歪み理論の意味において最適なソリューションを提供することができる。図４は、送信チャネルＴＣ１、ＴＣ２、およびＴＣ３の遅延タップに関する例示的なパワー遅延プロファイル図ＰＤＰＤを示している。パワー遅延プロファイル図ＰＤＰＤの隣接した長方形どうしの高さは、ステップＳ１１−Ｍｌによって特定された平均パス・パワー値ＡＰＰ１、ＡＰＰ２、ＡＰＰ３、ＡＰＰ４、およびＡＰＰ５によって定義される。図４において示されている例示的な実施形態に関しては、５つの遅延タップが、送信チャネルＴＣ１、ＴＣ２、およびＴＣ３のそれぞれに関してステップＳ１１−Ｍｌにおいて識別されている。代替実施形態においては、異なる数の遅延タップが、送信チャネルＴＣ１、ＴＣ２、およびＴＣ３に関して識別されることが可能である。
【００７７】
逆注水アルゴリズムは、たとえば次の方法で実行されることが可能であり、このアルゴリズムは、（図４ａにおいて点線によって示されている）逆注水レベルＲＷＬを、事前に定義された品質値Ｐ−ＱＶに設定することによって、それぞれの遅延タップに関する無線リソース・カウンタをゼロに設定することによって、および短期フィードバックの事前に定義された無線リソースに関する無線リソース・カウンタを、マスター基地局ＢＳ１によって事前に定義されたサイズの半分に設定することによって、開始する。事前に定義された品質値Ｐ−ＱＶは、たとえば、送信チャネルＴＣ１、ＴＣ２、およびＴＣ３の最大平均パス・パワー値の、ならびに事前に定義されたオフセット・パス・パワー値の総計である品質値に設定されることが可能である。
【００７８】
好ましい一実施形態によれば、報告クラスタのそれぞれの無線セルに関して（それぞれの送信チャネルに関して）、最大平均パス・パワー値を伴う遅延タップに関する無線リソース・カウンタは、はじめに１つの無線リソース・ユニット（たとえば１ビット）に設定されることが可能であり、短期フィードバックの事前に定義された無線リソースに関する最初の無線リソース・カウンタは、それに対応して低減されることが可能である。それによって、すべての無線セルに関して、少なくとも少量のチャネル状態情報が、移動局ＭＳからマスター基地局ＢＳ１へ報告されるということが達成されることが可能である。
【００７９】
無線リソース・ユニットは、好ましくはペアで割り当てられることが可能であるため、短期フィードバックの事前に定義された無線リソースに関する無線リソース・カウンタは、好ましくは、事前に定義された無線リソースのサイズの半分に設定され、そのことが意味しているのは、少なくとも１つの無線リソース・ユニットが、時間ドメイン短期係数ベクトルＣの実数部を送信するために割り当てられることが可能であり、少なくとも１つのさらなる無線リソース・ユニットが、その係数ベクトルＣの虚数部を送信するために割り当てられることが可能であるということである。
【００８０】
時間ドメイン短期係数ベクトルＣは、Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日において記載されているような、いわゆるタップベースのＤＦＴ行列Ｄ（ＤＦＴ＝Ｄｉｓｃｒｅｔｅ  Ｆｏｕｒｉｅｒ  Ｔｒａｎｓｆｏｒｍ）の関数としてチャネル転送関数ＣＴＦ１、ＣＴＦ２、．．．のうちの１つを概算するための最小２乗解として設計されることが可能である。
【００８１】
次いで、（図４ａにおいて破線によって示されている）逆注水レベルＲＷＬが、階差品質値ΔＱＶだけ（図４ａにおいて矢印によって示されているように）低減されることが可能であり、遅延タップの品質値のうちの１つが逆注水レベルＲＷＬを超えているか、または逆注水レベルＲＷＬに達しているかどうかが確認される。遅延タップの品質値のうちのいずれも逆注水レベルＲＷＬを超えていない、または逆注水レベルＲＷＬに達していない場合には、逆注水レベルＲＷＬは、階差品質値ΔＱＶだけ再び低減されることが可能であり、遅延タップの品質値のうちの１つが逆注水レベルＲＷＬを超えているか、または逆注水レベルＲＷＬに達しているかどうかが再び確認される。遅延タップの品質値のうちの１つが逆注水レベルＲＷＬを超えている、または逆注水レベルＲＷＬに達している場合には、対応する遅延タップの特定のビット・バジェットなどの無線リソース・カウンタが、１つの無線リソース・ユニットだけ増大されることが可能であり、その１つの無線リソース・ユニットは、たとえば単一のビットであることが可能である。同時に、短期フィードバックの事前に定義された無線リソースに関する無線リソース・カウンタが、１つの無線リソース・ユニットだけ低減され、その１つの無線リソース・ユニットも、たとえば単一のビットであることが可能である。さらなるサブステップにおいて、逆注水レベルＲＷＬは、さらなる階差品質値ΔＱＶだけ低減され、それぞれのサブステップの後に、遅延タップの品質値のうちのどれが逆注水レベルＲＷＬを超えているか、または逆注水レベルＲＷＬに達しているか、および超えている場合にはどの程度超えているかが確認される。遅延タップの品質値のうちの１つが既に逆注水レベルＲＷＬを超えている、または逆注水レベルＲＷＬに達している場合には、対応するカウンタが、たとえば、逆注水レベルＲＷＬのそれぞれのさらなる低減分ごとに毎回１つの無線リソース・ユニットだけ増大されることが可能である。
【００８２】
Ｔ．Ｃｏｖｅｒ、Ｊ．Ｔｈｏｍａｓ、「Ｅｌｅｍｅｎｔｓ  ｏｆ  Ｉｎｆｏｒｍａｔｉｏｎ  Ｔｈｅｏｒｙ」、Ｗｉｌｅｙ、Ｓｅｃｏｎｄ  Ｅｄｉｔｉｏｎ、２００６、ｓｅｃｔｉｏｎ  １０．３．３において記載されているようなアルゴリズムが、品質値が逆注水レベルＲＷＬを超えている超過レベルに関して遅延タップにいくつの無線リソース・ユニットが割り当てられることになるかを特定するために使用されることが可能である。
【００８３】
逆注水アルゴリズムは、短期フィードバックの事前に定義された無線リソースに関する無線リソース・カウンタがゼロに低減されるまで、反復して繰り返されることが可能である。短期フィードバックの事前に定義された無線リソースに関する無線リソース・カウンタがゼロに低減されたときに、逆注水アルゴリズムは停止される。そのような方法においては、すべての遅延タップにわたる歪みの総計が最小化される。
【００８４】
図４ｂ）は、図４ａ）において示されているのと同様のパワー遅延プロファイル図を示しているが、逆にされた縦座標を有している。そのようなケースにおいては、逆注水レベルＲＷＬは、短期フィードバックの事前に定義された無線リソースに関する無線リソース・カウンタがゼロに低減されるまで、段階的に増大される。
【００８５】
図４において示されている長方形の上の数字は、事前に定義された無線リソースのすべての利用可能なデジタル・ビットを送信チャネルＴＣ１、ＴＣ２、およびＴＣ３に配分した後の、実線によって図４において示されている逆注水レベルＲＷＬの位置に関してそれぞれの遅延タップに割り当てられているデジタル・ビットの数に対応することが可能である。それぞれのデジタル・ビットは、約６ｄＢの逆注水レベルをもたらすことができ、それは、ガウス・ソースにおける量子化ノイズの６ｄＢの低減に対応する。
【００８６】
第１の無線セルＣ１の平均化されたチャネル・インパルス応答ＣＩＲ＿ＴＣ１の遅延タップＴＡＰ１、ＴＡＰ２、ＴＡＰ３、およびＴＡＰ４の追加された無線リソース・ユニットは、短期フィードバックの事前に定義された無線リソースの第１のセグメントを表すことができ、第２の無線セルＣ２の追加された無線リソース・ユニットは、短期フィードバックの事前に定義された無線リソースの第２のセグメントを表すことができ、第３の無線セルＣ３の追加された無線リソース・ユニットは、短期フィードバックの事前に定義された無線リソースの第３のセグメントを表すことができる。
【００８７】
さらなるステップＳ１３−Ｍ１において、長期フィードバックが、アンテナ・システムＡＳからアンテナ・システムＡＳ１、ＡＳ２、ＡＳ３、およびＡＳ４のうちの１つまたは複数への無線周波数信号によって移動局ＭＳからマスター基地局ＢＳ１へ送信される。長期フィードバックは、たとえば、第１の送信チャネルＴＣ１についての遅延タップに関する時間遅延値ｔ１、ｔ２、ｔ３、およびｔ４、ならびに平均パス・パワー値ＡＰＰ１、ＡＰＰ２、ＡＰＰ３、およびＡＰＰ４と、第２の送信チャネルＴＣ２および第３の送信チャネルＴＣ３に関する対応する時間遅延値および平均パス・パワー値を含むことができる。好ましくは、セルＩＤも送信され、それによって、マスター基地局ＢＳ１は、報告クラスタの無線セルＣ１、Ｃ２、およびＣ３への（またはそれに応じて、対応する送信チャネルＴＣ１、ＴＣ２、およびＴＣ３への）受信された時間遅延値および受信された平均パス・パワー値のマッピングを実行することができる。好ましくは、平均パス・パワー値ＡＰＰ１、ＡＰＰ２、ＡＰＰ３、およびＡＰＰ４は、送信前に対数的に量子化されることが可能である。したがって、第１の選択肢においては、平均パス・パワー値のうちの１つが、対数的に量子化された絶対値として送信されることが可能であり、残りの平均パス・パワー値は、対数的に量子化された相対値として送信されることが可能である。第２の選択肢によれば、対数的に量子化された平均パス・パワー値は、マスター基地局ＢＳ１および移動局ＭＳにおいて事前に定義されることが可能であり、移動局ＭＳは、それぞれの平均パス・パワー値に関して、（たとえば、事前に定義された対数的に量子化された平均パス・パワー値から、対数的に量子化された平均パス・パワー値を差し引くことによって得られた）対数的に量子化された相対パワー値を報告することができる。
【００８８】
次なるステップＳ１４−Ｍ１においては、ステップＳ４−Ｍ１において特定された第１のチャネル転送関数ＣＴＦ１に関する時間ドメイン短期係数ベクトルＣＴＤ１が特定されることが可能である（係数ベクトルＣＴＤ１の添え字におけるＴＤという略語は、時間ドメインを表しており、１という数字は、第１のチャネル転送関数ＣＴＦ１を表している）。ＯＦＤＭダウンリンクＣｏＭＰ送信のケースにおいては、係数ベクトルＣＴＤ１は、たとえば、Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日において記載されている方程式（８）に基づいて最小２乗解として特定されることが可能である。したがって、第１のサブステップにおいて、タップベースのＤＦＴ行列ＤＣ１が、第１の無線セルＣ１に関して、Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日において記載されている方程式（４）〜（６）に基づいて、方程式（５）のタップ遅延τｍと整合している時間遅延値ｔ１、ｔ２、ｔ３、ｔ４、およびｔ５を使用して特定される。係数ベクトルＣＴＤ１の要素の数は、少なくとも１つの無線リソース・ユニットがステップＳ１２−Ｍ１において割り当てられた対象の遅延タップの数に対応する。図４において示されている例示的な実施形態に関しては、係数ベクトルＣＴＤ１の要素の数は４である。
【００８９】
ステップＳ１４−Ｍ１は、第１の無線セルＣ１のその他のチャネル転送関数ＣＴＦ２などに関して、ならびにさらなる無線セルＣ２およびＣ３のさらなるチャネル転送関数に関して、タップベースのＤＦＴ行列ＤＣ２、ＤＣ３を特定するための対応するサブステップを伴って繰り返されることが可能である。
【００９０】
さらなるステップＳ１５−Ｍ１において、係数ベクトルＣＴＤ１の要素は、たとえば、よく知られている一様スカラ量子化を次の方法で適用することによって量子化されることが可能であり、第１のサブステップにおいて、係数ベクトルＣＴＤ１の第１の要素の実数部および虚数部が、第１の遅延タップＴＡＰ１に関してステップＳ１２−Ｍ１によって特定された無線リソース・ユニットの数に従って量子化されることが可能であり、たとえば、第１の要素の実数部は、４つのビットによって量子化されることが可能であり、第１の要素の虚数部は、４つのビットによって量子化されることが可能である（図４ａを参照されたい）。第２のサブステップにおいて、係数ベクトルＣＴＤ１の第２の要素の実数部および虚数部が、第２の遅延タップＴＡＰ２に関してステップＳ１２−Ｍ１によって特定された無線リソース・ユニットの数に従って量子化されることが可能であり、たとえば、第２の要素の実数部は、３つのビットによって量子化されることが可能であり、第２の要素の虚数部は、３つのビットによって量子化されることが可能である（図４ａを参照されたい）。対応する方法において、係数ベクトルＣＴＤ１のその他の要素が量子化されることが可能である。
【００９１】
ステップＳ１５−Ｍ１は、係数ベクトルＣＴＤ２の要素の量子化された実数部および量子化された虚数部を特定するために第２のチャネル転送関数ＣＴＦ２に関して繰り返されることが可能であり、第１の送信チャネルＴＣ１のさらなるチャネル転送関数に関して繰り返されることが可能であり、さらなる送信チャネルＴＣ２およびＴＣ３のさらなるチャネル転送関数に関して繰り返されることが可能である。
【００９２】
さらなるステップＳ１６−Ｍ１において、短期フィードバックが、アンテナ・システムＡＳからアンテナ・システムＡＳ１、ＡＳ２、ＡＳ３、およびＡＳ４のうちの１つまたは複数への無線周波数信号によって移動局ＭＳからマスター基地局ＢＳ１へ送信される。短期フィードバックは、ステップＳ１５−Ｍ１によって特定された係数ベクトルＣＴＤ１、ＣＴＤ２などの要素の量子化された実数部および量子化された虚数部を含むことができる。
【００９３】
代替実施形態によれば、符号分割多元接続送信またはワイドバンド符号分割多元接続送信が無線通信システムにおけるダウンリンクＣｏＭＰ送信のために適用されることが可能である場合には、短期フィードバックは、送信チャネルＴＣ１、ＴＣ２、およびＴＣ３の周波数ドメイン・チャネル転送関数または時間ドメイン・チャネル・インパルス応答を再構築することを可能にする係数ベクトルのセットを含むことができる。
【００９４】
さらなるステップＳ１７−Ｍ１において、インジケータＦＬＴＦＩがゼロに設定されているかどうかが確認されることが可能である。インジケータＦＬＴＦＩがゼロに設定されている場合には、ステップＳ１８−Ｍｌが、次なるステップとして実行されることが可能である。インジケータＦＬＴＦＩがゼロに設定されていない場合には、ステップＳ１９−Ｍｌが、次なるステップとして実行されることが可能である。
【００９５】
次なるステップＳ１８−Ｍ１において、インジケータＦＬＴＦＩが、「１」に設定されることが可能である。
【００９６】
さらなるステップＳ１９−Ｍ１において、第１のタイマーＴ１が、短期タイム・インターバルを伴って再始動されることが可能である。
【００９７】
ステップＳ１９−Ｍｌの後の次なるステップは、再びステップＳ２−Ｍ１であることが可能である。
【００９８】
図５は、方法Ｍ２−ＲＡの流れ図を示しており、方法Ｍ２−ＲＡは、たとえばマスター基地局ＢＳ１の受信機装置によって実行されることが可能である。方法Ｍ２−ＲＡを実行するためのステップの数は重要ではなく、当業者なら理解できるように、ステップの数およびステップのシーケンスは、添付の特許請求の範囲において定義されている本発明の実施形態の範囲から逸脱することなく変わることが可能である。方法Ｍ２−ＲＡは、報告クラスタ、事前に定義された無線リソース、長期タイム・インターバル、および短期タイム・インターバルに関する情報が初めて送信されたときに開始されることが可能であり、または、これらのパラメータのうちの１つがマスター基地局ＢＳ１から移動局ＭＳへの新たなシグナリング・メッセージに従って変化したときに再開されることが可能である。
【００９９】
第１のステップＳ１−Ｍ２において、受信機装置は、送信機装置から何らかのシグナリング・メッセージを受信するために待機状態にあることが可能である。
【０１００】
次なるステップＳ２−Ｍ２において、シグナリング・メッセージが、送信機装置から受信されることが可能である。
【０１０１】
さらなるステップＳ３−Ｍ２において、受信されたシグナリング・メッセージが長期フィードバック・メッセージであるかどうかが確認されることが可能である。受信されたシグナリング・メッセージが長期フィードバック・メッセージである場合には、ステップＳ４−Ｍ２が、次なるステップとして実行されることが可能である。受信されたシグナリング・メッセージが長期フィードバック・メッセージではない場合には、ステップＳ６−Ｍ２が、次なるステップとして実行されることが可能である。
【０１０２】
次なるステップＳ４−Ｍ２において、無線リソース・ユニットの配分、たとえば、第１の送信チャネルＴＣ１、第２の送信チャネルＴＣ２、および第３の送信チャネルＴＣ３の短期フィードバックに関する事前に定義されたフィードバック無線リソースのそれぞれの送信チャネルＴＣ１、ＴＣ２、およびＴＣ３の遅延タップあたりの量子化ビットの割り当てが、受信された長期フィードバック・メッセージに基づいて、たとえば次の方法で得られることおよび特定されることが可能である。第１のサブステップにおいて、受信機装置は、第１の送信チャネルＴＣ１についての遅延タップに関する時間遅延値ｔ１、ｔ２、ｔ３、およびｔ４、ならびに平均パス・パワー値ＡＰＰ１、ＡＰＰ２、ＡＰＰ３、およびＡＰＰ４と、第２の送信チャネルＴＣ２および第３の送信チャネルＴＣ３に関する対応する時間遅延値および平均パス・パワー値とを長期フィードバック・メッセージから抽出することができる。第２のサブステップにおいて、受信機装置は、図４において示されているのと同様のパワー遅延プロファイル図を生成することができるが、そのパワー遅延プロファイル図は、送信機装置によって無線リソース・ユニットがまったく割り当てられていない長方形を有していない。第３のサブステップにおいて、受信機装置は、ステップＳ１２−Ｍ１に関して説明されているのと同じ逆注水アルゴリズムを適用することができる。それによって、受信機装置は、時間遅延値および平均パス・パワー値が報告されている対象の遅延タップに関する短期フィードバックの事前に定義されたフィードバック無線リソースの無線リソース・ユニットの配分を得る。その配分は、送信機装置および受信機装置の両方が、同じ事前に定義された逆注水アルゴリズムを適用している場合には、ステップＳ１２−Ｍ１において送信機装置によって得られた配分と同じになるであろう。
【０１０３】
代替実施形態によれば、無線リソース・ユニットの配分は、送信機装置から受信機装置へシグナリングされることが可能である。
【０１０４】
さらなるステップＳ５−Ｍ２において、第１の無線セルＣ１に関するタップベースのＤＦＴ行列ＤＣ１が、ステップＳ１４−Ｍ１に関して説明されているのと同じ方法で受信機装置によって特定される。ステップＳ５−Ｍ２は、対応するタップベースのＤＦＴ行列ＤＣ２、ＤＣ３を特定するために、さらなる送信チャネルＴＣ２およびＴＣ３に関して繰り返されることが可能である。
【０１０５】
ステップＳ５−Ｍ２の後の次なるステップは、再びステップＳ１−Ｍ２であることが可能である。
【０１０６】
さらなるステップＳ６−Ｍ２においては、受信されたシグナリング・メッセージが短期フィードバック・メッセージであるかどうかが確認されることが可能である。受信されたシグナリング・メッセージが短期フィードバック・メッセージである場合には、ステップＳ７−Ｍ２が、次なるステップとして実行されることが可能である。受信されたシグナリング・メッセージが短期フィードバック・メッセージではない場合には、ステップＳ１−Ｍ２が、再び実行されることが可能である。
【０１０７】
次なるステップＳ７−Ｍ２において、第１のチャネル転送関数ＣＴＦ１に関する係数ベクトルＣＴＤ１の要素、およびより好ましくは、係数ベクトルＣＴＤ１の要素の実数部および虚数部が、受信された短期フィードバック・メッセージ内に含まれている係数ベクトルＣＴＤ１の要素の量子化された実数部および量子化された虚数部から再構築されることが可能である。したがって、受信機装置は、送信機装置によって実行される一様スカラ量子化とは逆であることが可能であるアルゴリズムを実行することができ、その場合、量子化は、たとえばミッドトレッド型一様量子化器またはミッドライザ型一様量子化器として実行されることが可能である。ステップＳ１３−Ｍ１に関して記載されているような、相対パワー値の報告が適用されることが可能である場合には、係数ベクトルＣＴＤ１の再構築された要素は、報告されたまたは事前に定義された絶対パワー値と、報告された相対パワー値とに基づいてスケーリングされることが可能である。
【０１０８】
ステップＳ７−Ｍ２は、係数ベクトルＣＴＤ２の要素を得るために繰り返されることが可能であり、第１の送信チャネルＴＣ１のさらなるチャネル転送関数のさらなる係数ベクトルの要素を得るために繰り返されることが可能であり、さらなる送信チャネルＴＣ２およびＴＣ３のさらなるチャネル転送関数のさらなる係数ベクトルの要素を得るために繰り返されることが可能である。
【０１０９】
さらなるステップＳ８−Ｍ２において、第１のチャネル転送関数ＣＴＦ１が、Ｔ．Ｗｉｌｄ、「Ａ  ｒａｋｅ−ｆｉｎｇｅｒ  ｂａｓｅｄ  ｅｆｆｉｃｉｅｎｔ  ｃｈａｎｎｅｌ  ｓｔａｔｅ  ｉｎｆｏｒｍａｔｉｏｎ  ｆｅｅｄｂａｃｋ  ｃｏｍｐｒｅｓｓｉｏｎ  ｓｃｈｅｍｅ」、Ｖｅｈｉｃｕｌａｒ  Ｔｅｃｈｎｏｌｏｇｙ  Ｃｏｎｆｅｒｅｎｃｅ（ＶＴＣ  ２０１０−Ｓｐｒｉｎｇ）、２０１０  ＩＥＥＥ  ７１ｓｔ、２０１０年５月１６日〜１９日において記載されている方程式（８）から、その方程式（８）を、その方程式の片側にチャネル転送関数項ｈＣＴＦのみを含む形式へと再変換することによって得られることが可能である方程式に基づいて再構築されることが可能である。その再変換は、たとえば、係数ベクトルＣＴＤ１にＤＦＴ行列Ｄのエルミート（したがって共役転置）ムーア・ペンローズ一般逆行列を左乗算することによって行われることが可能である。ステップＳ８−Ｍ２は、好ましくは、第１の送信チャネルＴＣ１の第２のチャネル転送関数ＣＴＦ２およびさらなるチャネル転送関数に関して、ならびに、さらなる送信チャネルＴＣ２およびＴＣ３のさらなるチャネル転送関数に関して繰り返されることが可能である。
【０１１０】
次なるステップＳ９−Ｍ２において、再構築されたチャネル転送関数ＣＴＦ１、ＣＴＦ２などが、たとえば適合複素送信プリコーディング・アンテナ重みを修正することによって、送信チャネルＴＣ１、ＴＣ２、およびＴＣ３の短期状況の評価のために使用される。短期状況が、事前に定義されたレベルよりも上に変更されたと言える場合には、送信プリコーディング、変調、およびコーディング・スキーム、マルチアクセス・スケジューリング決定、もしくはリソース割り当て決定など、ダウンリンクＣｏＭＰ送信のパラメータが適合されることが可能であり、ならびに／または報告クラスタが、（たとえば、無線通信システムＲＣＳのさらなるアンテナ・システムを追加することによって、もしくは報告クラスタからアンテナ・システムを除去することによって）更新されることが可能である。
【０１１１】
ステップＳ９−Ｍ２の後の次なるステップは、再びステップＳ１−Ｍ２であることが可能である。
【０１１２】
図６は、第１の特定ユニットまたは第１の特定モジュールＤＥＴ−Ｕ１と、第２の特定ユニットまたは特定モジュールＤＥＴ−Ｕ２と、送信機ユニットＴＲ−Ｕとを含む例示的な送信機装置ＴＡ１を示している。第１の特定ユニットまたは第１の特定ユニット・モジュールＤＥＴ−Ｕ１は、第１の送信チャネルＴＣ１の受信された第１の基準信号ＲＳ１、第２の送信チャネルＴＣ２の受信された第２の基準信号ＲＳ２、および第３の送信チャネルＴＣ３の受信された第３の基準信号ＲＳ３を入力パラメータとして得ることができ、第１の品質値ＡＰＰ１、ＡＰＰ２、ＡＰＰ３、ＡＰＰ４、およびＡＰＰ５、ならびに少なくとも第２の品質値を計算することができ、短期フィードバックおよび長期フィードバックを特定することができ、第１の品質値ＡＰＰ１、ＡＰＰ２、ＡＰＰ３、ＡＰＰ４、およびＡＰＰ５、少なくとも第２の品質値、短期フィードバックＳＴＦ、ならびに長期フィードバックＬＴＦを出力パラメータとして提供することができる。
【０１１３】
第２の特定ユニットまたは第２の特定モジュールＤＥＴ−Ｕ２は、第１の品質値ＡＰＰ１、ＡＰＰ２、ＡＰＰ３、ＡＰＰ４、およびＡＰＰ５、ならびに少なくとも第２の品質値を入力パラメータとして得ることができ、短期フィードバックの事前に定義された無線リソースの無線リソース・ユニットＤＩＳ−ＲＵの配分を計算することができ、無線リソース・ユニットＤＩＳ−ＲＵの配分を出力パラメータとして提供することができる。
【０１１４】
あるいは、第１の特定ユニットまたは第１の特定モジュールＤＥＴ−Ｕ１および第２の特定ユニットまたは第２の特定モジュールＤＥＴ−Ｕ２のすべての機能は、単一の特定ユニットまたは単一の特定モジュールにおいて実施されることが可能である。
【０１１５】
送信機ユニットＴＲ−Ｕは、たとえば送信機またはトランシーバであることが可能であり、無線リソース・ユニットＤＩＳ−ＲＵの配分、長期フィードバックＬＴＦ、および短期フィードバックＳＴＦを入力パラメータとして得ることができ、長期フィードバックＬＴＦおよび／または短期フィードバックＳＴＦを含むアップリンク無線周波数信号ＲＦＳ−ＵＰを生成することができ、長期フィードバックＬＴＦおよび／または短期フィードバックＳＴＦを含むアップリンク無線周波数信号ＲＦＳ−ＵＰを出力パラメータとして提供することができる。
【０１１６】
図７は、無線通信システムにおいて使用するための第１のネットワーク・ノードＮＮ１を例示している。第１のネットワーク・ノードＮＮ１は、たとえば移動局ＭＳであることが可能である。第１のネットワーク・ノードＮＮ１は、トランシーバＴＲＡ１およびデュプレクサＤＰ１を含むことができる。トランシーバＴＲＡ１は、送信機装置ＴＡ１および受信機装置ＲＡ１を含むことができる。
【０１１７】
デュプレクサＤＰ１は、アンテナ・ポートＡＰ１を介して、第１の基準信号ＲＳ１と、第２の基準信号ＲＳ２と、第３の基準信号ＲＳ３とを含むダウンリンク無線周波数信号ＲＦＳ−ＤＯＷＮを入力信号として受信することができ、それらの入力信号を受信機装置ＲＡ１に提供することができる。受信機装置ＲＡ１は、受信されたダウンリンク無線周波数信号ＲＦＳ−ＤＯＷＮから、第１の基準信号ＲＳ１、第２の基準信号ＲＳ２、および第３の基準信号ＲＳ３を抽出することができ、第１の基準信号ＲＳ１、第２の基準信号ＲＳ２、および第３の基準信号ＲＳ３を送信機装置ＴＡ１に提供することができる。送信機装置ＴＡ１は、長期フィードバックＬＴＦおよび／または短期フィードバックＳＴＦを含むアップリンク無線周波数信号ＲＦＳ−ＵＰを出力信号としてデュプレクサＤＰ１に提供することができる。デュプレクサＤＰ１は、それらの出力信号を第１のネットワーク・ノードＮＮ１のアンテナ・ポートＡＰ１に提供する。
【０１１８】
図８は、受信機ユニットＲＥＣ−Ｕと、特定ユニットまたは特定モジュールＤＥＴ−Ｕとを含む例示的な受信機装置ＲＡ２を示している。受信機ユニットＲＥＣ−Ｕは、たとえば受信機またはトランシーバであることが可能であり、短期フィードバックおよび／または長期フィードバックを含むアップリンク無線周波数信号ＲＦＳ−ＵＰを入力パラメータとして得ることができる。受信機ユニットＲＥＣ−Ｕは、アップリンク無線周波数信号ＲＦＳ−ＵＰから短期フィードバックおよび長期フィードバックを抽出して復元し、短期フィードバックＳＴＦおよび長期フィードバックＬＴＦを出力パラメータとして提供する。
【０１１９】
特定ユニットまたは特定モジュールＤＥＴ−Ｕは、短期フィードバックＳＴＦおよび長期フィードバックＬＴＦを入力パラメータとして得ることができ、第１の送信チャネルＴＣ１の第１の短期情報ＳＴＦ１、および少なくとも第２の送信チャネルＴＣ２、ＴＣ３の少なくとも第２の短期情報ＳＴＦ２、ＳＴＦ３を計算することができ、第１の短期情報ＳＴＦ１および少なくとも第２の短期情報ＳＴＦ２、ＳＴＦ３を出力パラメータとして提供することができる。
【０１２０】
図９は、無線通信システムにおいて使用するための第２のネットワーク・ノードＮＮ２を例示している。第２のネットワーク・ノードＮＮ２は、たとえば第１の基地局ＢＳ１などのマスター基地局であることが可能である。第２のネットワーク・ノードＮＮ２は、トランシーバＴＲＡ２、デュプレクサＤＰ２、および中央処理装置ＣＰ−Ｕを含むことができる。トランシーバＴＲＡ２は、送信機装置ＴＡ２および受信機装置ＲＡ２を含むことができる。
【０１２１】
デュプレクサＤＰ１は、アンテナ・ポートＡＰ２を介して、短期フィードバックＳＴＦと、長期フィードバックＬＴＦとを含むアップリンク無線周波数信号ＲＦＳ−ＵＰを入力信号として受信することができ、それらの入力信号を受信機装置ＲＡ２に提供することができる。受信機装置ＲＡ２は、受信されたアップリンク無線周波数信号ＲＦＳ−ＵＰから、短期フィードバックＳＴＦおよび長期フィードバックＬＴＦを抽出することができ、その短期フィードバックＳＴＦおよび長期フィードバックＬＴＦを中央処理装置ＣＰ−Ｕに提供することができる。中央処理装置ＣＰ−Ｕは、送信チャネルＴＣ１、ＴＣ２、およびＴＣ３の短期状況を評価することができ、送信チャネルＴＣ１、ＴＣ２、およびＴＣ３の送信パラメータを適合させることができ、ならびに／または報告クラスタを（たとえば、無線通信システムＲＣＳのさらなるアンテナ・システムを追加することによって、もしくは報告クラスタからアンテナ・システムを除去することによって）更新することができる。対応するシグナリング・メッセージＡＤＡＰＴ−Ｍ１が、第２の基地局ＢＳ２もしくは第３の基地局ＢＳ３など、報告クラスタのさらなるネットワーク・ノードへ、および／または送信機装置ＴＡ２へ送信されることが可能である。
【０１２２】
送信機装置ＴＡ２は、送信パラメータを移動局ＭＳへのダウンリンクＣｏＭＰ送信用に適合させること、および第１の基準信号ＲＳ１を含むダウンリンク無線周波数信号ＲＦＳ−ＤＯＷＮを出力信号としてデュプレクサＤＰ２に提供することが可能である。デュプレクサＤＰ２は、それらの出力信号を第２のネットワーク・ノードＮＮ２のアンテナ・ポートＡＰ２に提供する。
【０１２３】
説明および図面は、本発明の原理を例示しているにすぎない。したがって、本明細書において明示的に説明または図示されていないが、本発明の原理を具体化し、本発明の趣旨および範囲内に含まれるさまざまな構成を当業者なら考案できるであろうということがわかるであろう。さらに、本明細書において列挙されているすべての例は、主として、本発明の原理、および、当技術分野を進展させることに対して本発明者（ら）によって寄与されたコンセプトを読者が理解する際に役立つための教示上の目的のものにすぎないことが明示的に意図されており、また、そのような具体的に列挙された例および状況に限定されるものではないと解釈されるべきである。その上、本発明の原理、態様、および実施形態、ならびにそれらの特定の例を列挙する本明細書におけるすべての記述は、それらの均等物を包含することを意図されている。
【０１２４】
（特定の機能を実行する）「送信するための手段」、「受信するための手段」、「特定するための手段」などと示されている機能ブロックはそれぞれ、特定の機能を実行するように適合されている回路を含む機能ブロックとして理解されるものとする。したがって、「何かのための手段」は、「何かに適合されているまたは適している手段」として理解されて差し支えない。したがって、特定の機能を実行するように適合されている手段は、かかる手段が（所与の時点において）必ず前記機能を実行しているということを意味しない。
【０１２５】
あらゆる機能ブロックを含む、図において示されているさまざまな要素の機能は、（たとえば、プロセッサとしての）専用のハードウェア、ならびに、適切なソフトウェアと関連付けてソフトウェアを実行することができるハードウェアの使用を通じて提供されることが可能である。それらの機能は、プロセッサによって提供される場合には、単一の専用のプロセッサによって、単一の共有プロセッサによって、または複数の個別のプロセッサ（そのうちのいくつかは、共有されることが可能である）によって提供されることが可能である。その上、「プロセッサ」または「コントローラ」という用語の明示的な使用は、ソフトウェアを実行することができるハードウェアだけを指すと解釈されるべきではなく、デジタル・シグナル・プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納するための読み取り専用メモリ（ＲＯＭ）、ランダム・アクセス・メモリ（ＲＡＭ）、および不揮発性ストレージを暗に含むことができるが、それらには限定されない。その他のハードウェアが、通常のものであれ、および／またはカスタムのものであれ、含まれることも可能である。
【０１２６】
本明細書におけるあらゆるブロック図は、本発明の原理を具体化する例示的な回路の概念的な図を表しているということを当業者なら理解するはずである。同様に、あらゆるフローチャート、流れ図、状態遷移図、疑似コードなどは、コンピュータ可読メディアにおいて実質的に表されることが可能な、したがってコンピュータまたはプロセッサによって実行されることが可能な（そのようなコンピュータまたはプロセッサが明示的に示されているか否かにかかわらず）さまざまなプロセスを表しているということがわかるであろう。
【０１２７】
さらに、添付の特許請求の範囲は、本明細書においては「発明を実施するための形態」へと組み込まれており、それぞれの請求項は、個別の実施形態として単独で有効であることが可能である。それぞれの請求項は、個別の実施形態として単独で有効であることが可能である一方で、１つの従属請求項が、特許請求の範囲において１つまたは複数のその他の請求項との特定の組合せに言及する場合があるが、その他の実施形態は、その従属請求項と、それぞれの他の従属請求項の主題との組合せを含むこともできるということに留意されたい。本明細書においては、そのような組合せが提案されている。ただし、特定の組合せが意図されていないと記載されている場合は除く。さらに、１つの請求項の特徴は、その他のいかなる独立請求項にも、たとえこの請求項がその独立請求項に直接従属していないとしても、含まれるということが意図されている。
【０１２８】
本明細書において、または特許請求の範囲において開示されている方法は、それらの方法の各ステップのそれぞれを実行するための手段を有するデバイスによって実施されることが可能であるということにさらに留意されたい。好ましくは、コンピュータ・プログラム製品は、そのコンピュータ・プログラム製品が、ＤＳＰ、ＡＳＩＣ、またはＦＰＧＡなど、プログラム可能なハードウェア・デバイスの上で実行されたときに、方法ＭＥＴ１または方法ＭＥＴ２を実行するためのコンピュータ実行可能命令を含むことができる。好ましくは、デジタル・データ・ストレージ・デバイスは、方法Ｍ１−ＴＡまたは方法Ｍ２−ＲＡを実行するための命令のマシン実行可能プログラムをエンコードすることができる。
【０１２９】
さらに、本明細書または特許請求の範囲において開示されている複数のステップまたは機能の開示は、特定の順序内にあるものと解釈してはならないということを理解されたい。したがって、複数のステップまたは機能の開示は、それらのステップまたは機能を特定の順序に限定することはない。ただし、そのようなステップまたは機能が、技術的な理由から交換可能でない場合は除く。さらに、いくつかの実施形態においては、単一のステップは、複数のサブステップを含むことができ、または複数のサブステップへと分割されることが可能である。そのようなサブステップは、その単一のステップの開示に含まれてその一部であることが可能である。ただし、明示的に除外されている場合は除く。
【図１】
2016524382.tif 000003
【図２ａ】
2016524382.tif 000004
【図２ｂ】
2016524382.tif 000005
【図３】
2016524382.tif 000006
【図４ａ】
2016524382.tif 000007
【図４ｂ】
2016524382.tif 000008
【図５】
2016524382.tif 000009
【図６】
2016524382.tif 000010
【図７】
2016524382.tif 000011
【図８】
2016524382.tif 000012
【図９】
2016524382.tif 000013
【国際調査報告】
2016524382.tif 000014
2016524382.tif 000015